(57)【要約】【課題】信号帯域幅が異なる光信号が波長分割多重された光信号を伝送品質の劣化の少ない状態で分波／合波して伝送できるＷＤＭ伝送システムを提供する。【解決手段】ＷＤＭ信号Ｐ０は、５０ＧＨｚ間隔のグリッド上、奇数チャネルに帯域幅２５ＧＨｚの１０Ｇｂｉｔ／ｓ信号が配置され、偶数チャネルに帯域幅７５ＧＨｚの４０Ｇｂｉｔ／ｓ信号が配置される。ＷＤＭ信号Ｐ０は、インタリーバ１による分波後、インタリーバ２および３により分波される。ポートＡ１およびＢ１の透過帯域の重複部分がチャネルｃｈ［４ｉ−２］（ｉ：１以上の整数）の信号帯域と略一致するように、両ポートの透過帯域の中心周波数は１０Ｇｂｉｔ／ｓ信号の中心周波数からシフトしている。これにより、ポートＢ１からはチャネルｃｈ［４ｉ−２］の４０Ｇｂｉｔ／ｓの信号のみが取り出される。他のポートの透過帯域の重複部分も同様にして取り出したい信号の信号帯域と一致するように設定されている。【選択図】        図１
2004297228.tif 000002
【特許請求の範囲】
【請求項１】
異なる信号帯域幅を有する光信号が波長分割多重された波長分割多重信号を伝送する波長分割多重伝送システムにおいて、
前記波長分割多重信号を分波する分波部、および、入力される複数の光信号を合波する合波部の少なくとも一方を有し、
前記分波部は、分波された光信号を出力する複数の出力ポートを有し、各出力ポートは、光を透過する透過帯域の帯域幅と光を透過しない非透過帯域の帯域幅とが異なり、前記透過帯域が、前記受信された波長分割多重信号のうち、該出力ポートから出力される光信号の信号帯域と略一致するように設定された透過特性を有し、
前記合波部は、前記複数の光信号を入力する複数の入力ポートを有し、該複数の入力ポートからそれぞれ入力された光信号を各入力ポートの透過特性によりフィルタリングして合波し、前記各入力ポートは、該入力ポートに入力される光信号の信号帯域と略一致する透過帯域を有する、
ことを特徴とする波長分割多重伝送システム。
【請求項２】
異なる信号帯域幅を有する光信号が波長分割多重された波長分割多重信号を受信する光受信装置において、
前記波長分割多重信号を分波し、分波した光信号を複数の出力ポートから出力する分波部を備え、
各出力ポートは、光を透過する透過帯域の帯域幅と光を透過しない非透過帯域の帯域幅とが異なり、前記透過帯域が、前記受信された波長分割多重信号のうち、該出力ポートから出力される光信号の信号帯域と略一致するように設定された透過特性を有する、
ことを特徴する光受信装置。
【請求項３】
請求項２において、
前記波長分割多重信号は、透過帯域幅Ｆ１を有する第１光信号と透過帯域幅Ｆ２を有する第２光信号とが周波数間隔Ｆ（Ｆ≧（Ｆ１＋Ｆ２）／２）で交互に配置され、
前記分波部は、前記波長分割多重信号を入力する入力ポートと、前記第１光信号の信号帯域と略一致する帯域を透過帯域として有する第１出力ポートと、前記第２光信号の信号帯域と略一致する帯域を透過帯域として有する第２出力ポートとを有するインタリーバを備えている、
ことを特徴する光受信装置。
【請求項４】
異なる信号帯域幅を有する複数の光信号を波長分割多重して送信する光送信装置において、
前記複数の光信号を入力する複数の入力ポートを有し、該複数の入力ポートからそれぞれ入力された光信号を各ポートの透過特性によりフィルタリングして合波する合波部を備え、
前記合波部の各入力ポートは、該入力ポートに入力される光信号の信号帯域と略一致する透過帯域を有する、
ことを特徴する光送信装置。
【請求項５】
請求項４において、
前記複数の光信号は、それぞれが透過帯域幅Ｆ１を有し、周波数間隔４Ｆで配置された複数の光信号からなる第１光信号群と、それぞれが透過帯域幅Ｆ２を有し、前記第１光信号群を構成する各光信号の中心周波数から周波数間隔Ｆ（Ｆ≧（Ｆ１＋Ｆ２）／２）の位置に配置された複数の光信号からなる第２光信号群と、それぞれが透過帯域幅Ｆ１を有し、前記第１光信号群を構成する各光信号の中心周波数から周波数間隔２Ｆの位置に配置された複数の光信号からなる第３光信号群と、それぞれが前記透過帯域幅Ｆ２を有し、前記第２光信号群を構成する各光信号の周波数から周波数間隔２Ｆの位置に配置された複数の光信号からなる第４光信号群とからなり、
前記合波部は、
前記第１光信号群が入力され、帯域幅Ｆの透過帯域および不透過帯域が交互に繰り返す透過特性を有する第１ポートと、前記第２光信号群が入力され、該第１ポートと逆の透過特性を有する第２ポートとを有し、該第１および第２ポートにそれぞれ入力された前記第１および第２光信号群を合波して出力する第１インタリーバと、
前記第３光信号群が入力され、帯域幅Ｆの透過帯域および不透過帯域が交互に繰り返す透過特性を有する第３ポートと、前記第４光信号群が入力され、該第３ポートと逆の透過特性を有する第４ポートとを有し、該第３および第４ポートにそれぞれ入力された前記第３および第４光信号群を合波して出力する第２インタリーバと、
前記第１インタリーバからの光信号が入力され、帯域幅Ｆの透過帯域および不透過帯域が交互に繰り返す透過特性を有する第５ポートと、前記第２インタリーバからの光信号が入力され、該第５ポートと逆の透過特性を有する第６ポートとを有し、前記第５および第６ポートに入力された光信号を合波して出力する第３インタリーバと、
を備え、
前記第１および第５ポートの透過帯域の重複部分が前記第１光信号群の各光信号の信号帯域を含み、前記第２および第５ポートの透過帯域の重複部分が前記第２光信号群の各光信号の信号帯域を含み、前記第３および第６ポートの透過帯域の重複部分が前記第３光信号群の各光信号の信号帯域を含み、前記第４および第６ポートの透過帯域の重複部分が前記第４光信号群の各光信号の信号帯域を含むように、前記第１、第２、および第３インタリーバの透過帯域の中心周波数が前記第１および第２光信号群の各光信号の中心周波数からシフトしている、
ことを特徴する光送信装置。
【発明の詳細な説明】
【０００１】
【発明の属する技術分野】
本発明は、波長分割多重伝送システムに関し、特に、異なる信号帯域幅の光信号が波長分割多重された波長分割多重信号を合波して伝送し、あるいは、該波長分割多重信号を受信して分波する波長分割多重システムに関する。
【０００２】
また、本発明は、該波長分割多重伝送システムに含まれ、複数の光信号を合波して波長分割多重信号として送信する光送信装置、および、波長分割多重信号を受信し、各波長の光信号に分波する光受信装置に関する。
【０００３】
【従来の技術】
近年、波長分割多重（ＷＤＭ：Ｗａｖｅｌｅｎｇｔｈ  Ｄｉｖｉｓｉｏｎ  Ｍｕｌｔｉｐｌｅｘ）伝送システムの大容量化が進んでいる。大容量化の手法としては、多重化される波長数の増加および各波長の信号の伝送速度（ビットレート）の高速化の手法がとられる。このうち、ビットレートについては、現在、１０Ｇｂｉｔ／ｓのＷＤＭ伝送システムが既に実用化されており、４０Ｇｂｉｔ／ｓの光伝送システムの研究・開発が進められている。
【０００４】
しかしながら、４０Ｇｂｉｔ／ｓのＷＤＭ伝送システムの導入にあたっては、導入コストやインサービスでのアップグレードという観点から、一度にすべての波長の光信号を４０Ｇｂｉｔ／ｓとしたＷＤＭ伝送システムを導入するのではなく、既存の１０Ｇｂｉｔ／ｓのＷＤＭ伝送システムの一部の波長を４０Ｇｂｉｔ／ｓに切り替える部分的なアップグレードが考えられている。つまり、１０Ｇｂｉｔ／ｓと４０Ｇｂｉｔ／ｓとが混載されたＷＤＭ伝送システムへのアップグレードが考えられている。
【０００５】
また、多重化される波長数の増加に伴い、信号の波長間隔は高密度化され、現在、１０Ｇｂｉｔ／ｓのシステムでは、波長間隔（周波数間隔）が５０ＧＨｚのシステムが製品化されており、４０Ｇｂｉｔ／ｓのシステムでは１００ＧＨｚの波長間隔（周波数間隔）の利用が検討されている。
【０００６】
この高密度化においては、アレー導波路型回折格子（ＡＷＧ：Ａｒｒａｙｅｄ  Ｗａｖｅｇｕｉｄｅ  Ｇｒａｔｉｎｇ）フィルタや多層膜フィルタによる１：Ｎチャネルの光合分波モジュールにより合分波された光を、インタリーバを用いてさらに合分波する方法が採られる。この高密度化の指標には単位周波数当たりのビットレートを示す周波数利用効率が用いられる。上記の１０Ｇｂｉｔ／ｓでは０．２ｂｉｔ／ｓ／Ｈｚ（＝１０Ｇｂｉｔ／ｓ÷５０ＧＨｚ）、４０Ｇｂｉｔ／ｓシステムでは０．４Ｇｂｉｔ／ｓ／Ｈｚ（＝４０Ｇｂｉｔ／ｓ÷１００ＧＨｚ）となる。
【０００７】
なお、インタリーバとは、ある波長間隔の光信号群を偶数チャネルと奇数チャネルとに分波して２倍の波長間隔を持つ信号群にする、または、その逆に、偶数チャネルと奇数チャネルとを合波して１／２の波長間隔の信号群にする機能をもつ光合分波器である。
【０００８】
一方、複数のビットレートの光信号を効率的に収容するＷＤＭ光通信システムとして、異なる波長配置間隔で光信号を配置するものがある（例えば特許文献１参照）。このＷＤＭ通信システムでは、例えば、４０Ｇｂｉｔ／ｓ信号では、４つの信号成分を１つのチャネルへ、１０Ｇｂｉｔ／ｓ信号では、２つの信号成分を１つのチャネルへ、それぞれ束ねることにより、各ビットレートのチャネルの信号が生成される。そして、４０Ｇｂｉｔ／ｓ信号は１００ＧＨｚ間隔で配置され、１０Ｇｂｉｔ／ｓ信号は５０ＧＨｚ間隔で配置されて、それぞれ伝送される。
【０００９】
【特許文献１】
特開２００１−１１２２９４号公報
【００１０】
【発明が解決しようとする課題】
アップグレード前のシステム、つまり５０ＧＨｚ間隔で１０Ｇｂｉｔ／ｓの光信号を波長分割多重して伝送するシステムにおいて、一部の光信号をそのまま４０Ｇｂｉｔ／ｓに変更した場合、この波長分割多重信号（ＷＤＭ信号）を、通常の５０ＧＨｚ／１００ＧＨｚ間隔のインタリーバにより合分波すると、伝送品質が劣化するという問題がある。これは、４０Ｇｂｉｔ／ｓの光信号のスペクトル幅（帯域幅）が１０Ｇｂｉｔ／ｓの光信号のそれよりも広いため、４０Ｇｂｉｔ／ｓの信号成分が隣接チャネルにもれ込み（クロストーク）、また、４０Ｇｂｉｔ／ｓの信号のスペクトル自身もインタリーバによって帯域の制限を受けるからである。
【００１１】
また、４０Ｇｂｉｔ／ｓ伝送で用いられる１００ＧＨｚ／２００ＧＨｚ間隔のインタリーバを用いた場合、クロストークや伝送品質の問題は生じないものの、１０Ｇｂｉｔ／ｓの光信号も１００ＧＨｚ間隔で伝送されるために、周波数利用効率が０．２５ｂｉｔ／ｓ／Ｈｚと低くなり、アップグレードの効果がないという問題がある。
【００１２】
さらに、従来のシステムの信号波長はＩＴＵ−Ｔにて規定された等間隔のグリッドに配置されているため、アップグレードにおいては従来の５０ＧＨｚ間隔、１００ＧＨｚ間隔といった波長配置は変えないことが望ましい。
【００１３】
また、ビットレートが同じでも変調方式がＲＺ、ＮＲＺ、ＣＳＲＺ等、異なる場合にも、同様に、各波長の光信号のスペクトル幅が異なる。したがって、この場合にも、ビットレートの高速化と同様に考えることができる。
【００１４】
そこで、本発明は、伝送速度が異なり、または、変調方式が異なることにより、信号帯域幅が異なる光信号が波長分割多重された光信号を伝送品質の劣化の少ない状態で分波および合波して伝送できるＷＤＭ伝送システムならびに該システムを構成する光送信装置および光受信装置を提供することを目的とする。
【００１５】
また、本発明は、周波数利用効率が高いＷＤＭ伝送システム、光送信装置、および光受信装置を提供することを目的とする。さらに、本発明は、規定された信号波長配置を用いることできるＷＤＭ伝送システム、光送信装置、および光受信装置を提供することを目的とする。
【００１６】
【課題を解決するための手段】
前記目的を達成するために、本発明による波長分割多重伝送システムは、異なる信号帯域幅を有する光信号が波長分割多重された波長分割多重信号を伝送する波長分割多重伝送システムにおいて、
前記波長分割多重信号を分波する分波部、および、入力される複数の光信号を合波する合波部の少なくとも一方を有し、前記分波部は、分波された光信号を出力する複数の出力ポートを有し、各出力ポートは、光を透過する透過帯域の帯域幅と光を透過しない非透過帯域の帯域幅とが異なり、前記透過帯域が、前記受信された波長分割多重信号のうち、該出力ポートから出力される光信号の信号帯域と略一致するように設定された透過特性を有し、前記合波部は、前記複数の光信号を入力する複数の入力ポートを有し、該複数の入力ポートからそれぞれ入力された光信号を各入力ポートの透過特性によりフィルタリングして合波し、前記各入力ポートは、該入力ポートに入力される光信号の信号帯域と略一致する透過帯域を有する、ことを特徴とする。
【００１７】
本発明による光受信装置は、異なる信号帯域幅を有する光信号が波長分割多重された波長分割多重信号を受信する光受信装置において、前記波長分割多重信号を分波し、分波した光信号を複数の出力ポートから出力する分波部を備え、各出力ポートは、光を透過する透過帯域の帯域幅と光を透過しない非透過帯域の帯域幅とが異なり、前記透過帯域が、前記受信された波長分割多重信号のうち、該出力ポートから出力される光信号の信号帯域と略一致するように設定された透過特性を有する、ことを特徴する。
【００１８】
本発明による光送信装置は、異なる信号帯域幅を有する複数の光信号を波長分割多重して送信する光送信装置において、前記複数の光信号を入力する複数の入力ポートを有し、該複数の入力ポートからそれぞれ入力された光信号を各ポートの透過特性によりフィルタリングして合波する合波部を備え、前記合波部の各入力ポートは、該入力ポートに入力される光信号の信号帯域と略一致する透過帯域を有する、ことを特徴する。
【００１９】
本発明によると、分波部の各出力ポートから出力される光信号は、各出力ポートに分波／出力されるべき光信号の信号帯域とほぼ一致する透過帯域を有する透過特性によってフィルタリングされた後、出力される。したがって、信号帯域幅が異なる光信号が多重化されている場合であっても、クロストークや信号成分の一部がフィルタリングにより除去される等の品質劣化が少ない状態で、各光信号を分波し取り出すことができる。これにより、複数の異なる伝送速度の光信号が多重された混載システムへのアップグレードを、伝送品質の劣化の少ない状態で実現できる。また、異なる変調方式により変調された光信号が多重化された場合も同様である。
【００２０】
また、本発明によると、合波部の各入力ポートは、該入力ポートに入力されるべき光信号の信号帯域と略一致する透過帯域を有し、各入力ポートに入力された光信号は、各入力ポートの透過特性によりフィルタリングされ合波される。したがって、信号成分のみを合波することができ、それ以外の雑音等を除去することができる。
【００２１】
【発明の実施の形態】
以下に、各波長の光信号が１０Ｇｂｉｔ／ｓである波長分割多重伝送システム（ＷＤＭ伝送システム）をアップグレードして構成された、１０Ｇｂｉｔ／ｓと４０Ｇｂｉｔ／ｓの光信号が混載したＷＤＭ伝送システムについて説明する。
【００２２】
＜第１の実施の形態＞
図１（Ａ）は、本発明の第１の実施の形態によるＷＤＭ伝送システムの分波部の構成を示すブロック図であり、図１（Ｂ）は、該ＷＤＭ伝送システムの合波部の構成を示すブロック図である。図２は、分波部に入力される、あるいは、合波部により合波（多重化）された光信号群（ＷＤＭ信号）Ｐ０を周波数軸上に配置したものを示している。
【００２３】
分波部は、例えば、ＷＤＭ伝送システムの光受信装置（光受信端局装置）や中継装置に設けられる。合波部は、例えば、ＷＤＭ伝送システムの光送信装置（光送信端局装置）や中継装置に設けられる。
【００２４】
以下の説明では、分波部の構成について詳細に述べることとし、合波部の構成については、分波部における入出力関係を逆にすることで同様にして考えることができるので、対応する部分に同一の符号を付し、簡略な説明に留めることとする。後述する第２から第７の実施の形態についても同様である。
【００２５】
まず、図２を参照して、ＷＤＭ信号について説明する。図２の横軸は周波数軸であり、周波数ｆ１〜ｆ９はＩＴＵ−Ｔ勧告で規定された周波数間隔５０ＧＨｚ（Ｆ＝５０ＧＨｚ）のグリッド（以下「ＩＴＵ−Ｔグリッド」という。）である。
【００２６】
ＷＤＭ信号Ｐ０は、１０Ｇｂｉｔ／ｓおよび４０Ｇｂｉｔ／ｓ混載のＷＤＭ信号の一例である。このＷＤＭ信号Ｐ０には、奇数チャネルに１０Ｇｂｉｔ／ｓの光信号が配置され、偶数チャネルに４０Ｇｂｉｔ／ｓの光信号が配置されている。チャネルｃｈ１の光信号が周波数ｆ１に、チャネルｃｈ２の光信号が周波数ｆ２に、それぞれ配置される。チャネルｃｈ３以降のチャネルも、順次周波数ｆ３以降のＩＴＵ−Ｔグリッドに配置される。なお、ここでは、９つのチャネルｃｈ１〜ｃｈ９を示しているが、これは一例であり、これより多くのチャネルまたは少ないチャネルが多重化されていてもよい。
【００２７】
このＷＤＭ信号Ｐ０では、隣接する１０Ｇｂｉｔ／ｓの光信号と４０Ｇｂｉｔ／ｓの光信号が重ならないように、１０Ｇｂｉｔ／ｓの光信号の透過帯域幅（スペクトル幅）Ｆ１は２５ＧＨｚに設定され、４０Ｇｂｉｔ／ｓの光信号の透過帯域幅（スペクトル幅）Ｆ２は７５ＧＨｚに設定されている。
【００２８】
ここで、従来の技術の欄で説明したように、現在製品化されている１０Ｇｂｉｔ／ｓのＷＤＭ伝送システムでは、一般に、１０Ｇｂｉｔ／ｓの光信号の透過帯域幅が５０ＧＨｚである。また、研究・開発が進められている４０Ｇｂｉｔ／ｓのＷＤＭ伝送システムでは、一般に、４０Ｇｂｉｔ／ｓの光信号の透過帯域幅として１００ＧＨｚが検討されている。
【００２９】
一方、本実施の形態では、１０Ｇｂｉｔ／ｓの光信号に２５ＧＨｚ、４０Ｇｂｉｔ／ｓの光信号に７５ＧＨｚというように、より狭い帯域幅が与えられている。しかし、以下の理由（１）〜（３）により、この帯域幅でも、十分な品質の光信号を伝送することができる。
【００３０】
（１）４０Ｇｂｉｔ／ｓのＮＲＺ（Ｎｏｎ  Ｒｅｔｕｒｎ  ｔｏ  Ｚｅｒｏ）変調方式の信号のスペクトル幅（帯域幅）は約６０ＧＨｚであり、１０Ｇｂｉｔ／ｓのＮＲＺ信号は約１５ＧＨｚである。したがって、４０Ｇｂｉｔ／ｓの光信号の帯域幅を７５ＧＨｚとし、１０Ｇｂｉｔ／ｓの光信号の帯域幅を２５ＧＨｚとしても、これらの信号を、品質劣化の少ない状態で、十分伝送することができる。
【００３１】
（２）図５（Ａ）は、４０Ｇｂｉｔ／ｓのＷＤＭ伝送システムにおいて、光信号間の周波数間隔（波長間隔）を５０ＧＨｚ、７５ＧＨｚ、および１００ＧＨｚに変化させた場合のフィルタ帯域幅とＱ値（Ｑｕａｌｉｔｙ  Ｆａｃｔｏｒ）との関係を示すグラフである。このグラフから分かるように、波長間隔およびフィルタ帯域幅がともに７５ＧＨｚでは、隣接チャネルのクロストークおよびフィルタの帯域制限によるＱ値劣化が、周波数間隔１００ＧＨｚの場合に対して０．３ｄＢ以下である。したがって、周波数間隔が７５ＧＨｚであっても、１００ＧＨｚの場合と比べ遜色のない品質で信号を伝送することができる。
【００３２】
（３）例えば、Ｇ．Ｖａｒｅｉｌｌｅ他著の論文“１．５  ｔｅｒａｂｉｔ／ｓ  ｓｕｂｍａｒｉｎｅ  ４０００  ｋｍ  ｓｙｓｔｅｍ  ｖａｌｉｄａｔｉｏｎ  ｏｖｅｒ  ａ  ｄｅｐｌｏｙｅｄ  ｌｉｎｅ  ｗｉｔｈ  ｉｎｄｕｓｔｒｉａｌ  ｍａｒｇｉｎｓ  ｕｓｉｎｇ  ２５  ＧＨｚ  ｃｈａｎｎｅｌ  ｓｐａｃｉｎｇ  ａｎｄ  ＮＲＺ  ｆｏｒｍａｔ  ｏｖｅｒ  ＮＺＤＳＦ”（ＷＰ５、ＯＦＣ２００２）では、２５ＧＨｚ間隔の１０Ｇｂｉｔ／ｓのＮＲＺ方式のＷＤＭ信号の伝送が実現されている。
【００３３】
以上から、本実施の形態では、１０Ｇｂｉｔ／ｓの光信号および４０Ｇｂｉｔ／ｓの光信号を、それぞれ２５ＧＨｚおよび７５ＧＨｚの帯域幅で伝送することとする。
【００３４】
一方、この信号配置によると、各光信号をＩＴＵ−Ｔグリッドに配置して伝送できるという利点がある。また、ＷＤＭ信号Ｐ０では、図５（Ｂ）に示すように、１０Ｇｂｉｔ／ｓと４０Ｇｂｉｔ／ｓとを混載することにより、周波数利用効率が０．５Ｇｂｉｔ／ｓ／Ｈｚとなり、４０Ｇｂｉｔ／ｓの信号を１００ＧＨｚの帯域幅で伝送した場合の周波数利用効率０．４Ｇｂｉｔ／ｓ／Ｈｚよりも高い周波数利用効率を達成できるという利点もある。
【００３５】
なお、ＩＴＵ−Ｔグリッド間隔（Ｆ＝５０ＧＨｚ）≧｛１０Ｇｂｉｔ／ｓ信号の透過帯域幅（Ｆ１＝２５ＧＨｚ）＋４０Ｇｂｉｔ／ｓ信号の透過帯域幅（Ｆ２＝７５ＧＨｚ）｝÷２の関係が成立するので、１０Ｇｂｉｔ／ｓ信号と４０Ｇｂｉｔ／ｓ信号とが隣接したＩＴＵ−Ｔグリッドに配置されても、クロストークの問題は少ない。
【００３６】
次に、図１（Ａ）を参照して、分波部について説明する。分波部は、インタリーバ（Ｉｎｔｅｒｌｅａｖｅｒ）１〜３および分波器４〜７を有する。
【００３７】
分波器４〜７は、周波数間隔２００ＧＨｚの１対Ｎチャネル（Ｎは２以上の整数）の分波器であり、入力されたＷＤＭ信号を各波長（各周波数）の信号に分波して出力する。分波器４の透過帯域の中心周波数は周波数ｆ２、ｆ６、…（周波数ｆ［４ｉ−２］、ｉ：１以上の整数）に設定され、分波器５の透過帯域の中心周波数は周波数ｆ１、ｆ５、…（周波数ｆ［４ｉ−３］）に設定されている。分波器６の透過帯域の中心周波数は周波数ｆ３、ｆ７、…（周波数ｆ［４ｉ−１］）に設定され、分波器７の透過帯域の中心周波数は周波数ｆ４、ｆ８、…（周波数ｆ［４ｉ］）に設定されている。各分波器の透過帯域の帯域幅は１００ＧＨｚである。分波器４〜７として、例えば公知のＡＷＧ（Ａｒｒａｙｅｄ  Ｗａｖｅｇｕｉｄｅ  Ｇｒａｔｉｎｇ）フィルタや多層膜フィルタを使用することができる。
【００３８】
インタリーバ１〜３は、入力される波長分割多重された光信号群（ＷＤＭ信号）を、偶数チャネルの光信号群と奇数チャネルの光信号群とに分波して、周波数間隔（波長間隔）を２倍に拡張し、あるいは、入出力関係を逆にすることにより、偶数チャネルおよび奇数チャネルの光信号群を合波して、周波数間隔（波長間隔）を１／２に縮小する機能を有する光合分波器である。これらインタリーバ１〜３も、公知のものを使用することができる。
【００３９】
ここでは、１００ＧＨｚの周波数間隔が２００ＧＨｚの周波数間隔に拡張され、あるいは、２００ＧＨｚの周波数間隔が１００ＧＨｚの周波数間隔に縮小される。例えば、インタリーバ１は、ポートＡ０から入力される１００ＧＨｚ間隔の光信号群を、２００ＧＨｚ間隔の偶数チャネルの光信号群と奇数チャネルの光信号群とに分波し、これら２つの光信号群をポートＡ１およびＡ２にそれぞれ出力する。また、その逆に、インタリーバ１は、ポートＡ１およびＡ２から入力される２００ＧＨｚ間隔の２つの光信号群を、１００ＧＨｚ間隔の１つの光信号群に合波してポートＡ０から出力する。インタリーバ２および３についても同様である。
【００４０】
図３は、インタリーバ１を単体で使用した場合のポート（出力ポート）Ａ１側の透過特性（グラフＡ１）、インタリーバ２を単体で使用した場合のポートＢ１側の透過特性（グラフＢ１）、インタリーバ２を単体で使用した場合のポートＢ２側の透過特性（グラフＢ２）、インタリーバ１のポートＡ１をインタリーバ２のポートＢ０に接続して使用した場合のインタリーバ２のポートＢ１側の透過特性（グラフＡ１∧Ｂ１）、およびインタリーバ１のポートＡ１をインタリーバ２のポートＢ０に接続して使用した場合のインタリーバ２のポートＢ２側の透過特性（グラフＡ１∧Ｂ２）を示している。各グラフにおいて、横軸は周波数を示し、縦軸は光の透過率を示している。
【００４１】
なお、図示は省略するが、インタリーバ３も、インタリーバ２と同じ透過特性を有する。
【００４２】
各透過特性のグラフの凸部は、光が透過する周波数帯域（透過帯域）を示し、グラフの凹部は、光が透過しない周波数帯域（不透過帯域、濾過帯域）を示している。透過帯域および不透過帯域は、ともに１００ＧＨｚの帯域幅を有し、２００ＧＨｚの周期で交互に繰り返される。
【００４３】
グラフＢ１およびＢ２から明らかなように、インタリーバ２の２つのポート（出力ポート）Ｂ１およびＢ２は、相互に逆の透過特性を有する。同様にして、インタリーバ１のポート（出力ポート）Ａ１およびＡ２は、相互に逆の透過特性を有し、インタリーバ３のポートＣ１およびＣ２は、相互に逆の透過特性を有する。
【００４４】
グラフＡ１に示すように、インタリーバ１のポートＡ１側の透過帯域の中心周波数は、ＩＴＵ−Ｔグリッドの周波数ｆ２、ｆ６、…（２００ＧＨｚ間隔）に対して、周波数の低い側に１２．５ＧＨｚ（すなわち−１２．５ＧＨｚ）だけシフトしている（換言すると、周波数ｆ１、ｆ５、…に対しては、周波数の高い側に３７．５ＧＨｚ（すなわち＋３７．５ＧＨｚ）だけシフトしている）。ここで、シフト量Ｓは、−５０ＧＨｚ＜Ｓ＜５０ＧＨｚとする。
【００４５】
同様にして、インタリーバ１のポートＡ１側の不透過帯域の中心周波数は、周波数ｆ４、ｆ８、…（２００ＧＨｚ間隔）に対して、−１２．５ＧＨｚだけシフトしている（換言すると、周波数ｆ３、ｆ７、…に対しては、周波数の高い側に３７．５ＧＨｚ（すなわち＋３７．５ＧＨｚ）だけシフトしている）。
【００４６】
したがって、インタリーバ１の透過帯域と不透過帯域との境界（グラフの立ち上がりエッジおよび立ち下がりエッジ）はＩＴＵ−Ｔグリッドの周波数ｆ１、ｆ３、…（１００ＧＨｚ間隔）に対して−１２．５ＧＨｚシフトしている。
【００４７】
一方、グラフＢ１に示すように、インタリーバ２のポートＢ１側の透過帯域の中心周波数は、ＩＴＵ−Ｔグリッドの周波数ｆ２、ｆ６、…に対して＋１２．５ＧＨｚだけシフトしている。インタリーバ２のポートＢ１側の不透過帯域の中心周波数は、ＩＴＵ−Ｔグリッドの周波数ｆ４、ｆ８、…に対して＋１２．５ＧＨｚシフトしている。
【００４８】
したがって、インタリーバ２の透過帯域と不透過帯域との境界（グラフの立ち上がりエッジおよび立ち下がりエッジ）もＩＴＵ−Ｔグリッドの周波数ｆ１、ｆ３、…（１００ＧＨｚ間隔）に対してに対して＋１２．５ＧＨｚシフトしている。インタリーバ３の透過帯域および不透過帯域のそれぞれの中心周波数もインタリーバ２と同様にシフトしている。
【００４９】
このような中心周波数の位置決めは、インタリーバ１〜３の温度を調整することにより行うことができる。インタリーバ１〜３の温度調整には、サーモスタット等を使用することができる。
【００５０】
グラフＡ１∧Ｂ１に示すように、インタリーバ１の出力ポートＡ１をインタリーバ２の入力ポートＢ０に接続することによって、出力ポートＢ１の透過帯域はインタリーバ１および２双方の透過帯域の重複部分となり、出力ポートＢ１の不透過帯域はインタリーバ１および２の少なくとも一方の不透過帯域の部分となる。
【００５１】
このため、グラフＡ１∧Ｂ１の透過帯域幅は７５ＧＨｚとなり、不透過帯域幅は１２５ＧＨｚとなり、透過帯域の開始周波数（立ち上がりエッジ）がＩＴＵ−Ｔグリッドの周波数ｆ１、ｆ５、…（２００ＧＨｚ間隔）に対して＋１２．５ＧＨｚシフトする。
【００５２】
また、グラフＡ１∧Ｂ２に示すように、インタリーバ１の出力ポートＡ１をインタリーバ２の入力ポートＢ０に接続することにより、出力ポートＢ２の透過帯域幅は２５ＧＨｚ、不透過帯域幅は１７５ＧＨｚとなり、透過帯域の開始周波数（立ち上がりエッジ）がＩＴＵ−Ｔグリッドの周波数ｆ１、ｆ５、…（２００ＧＨｚ間隔）対して−１２．５ＧＨｚシフトする。
【００５３】
このように、透過帯域（不透過帯域）の中心周波数をＩＴＵ−Ｔグリッドからシフトさせたインタリーバを２つ直列に接続することにより、任意の開始周波数および任意の透過帯域幅を有するフィルタ（インタリーバ）を構成することができる。これにより、透過帯域幅と不透過帯域幅とが等しくない不等間隔のインタリーバ（フィルタ）を構成することができる。
【００５４】
図４は、インタリーバ１〜３およびこれらインタリーバの組み合わせの透過特性ならびにインタリーバ１の入力ポートＡ０に入力される光信号群（ＷＤＭ信号）Ｐ０がインタリーバ１〜３によりフィルタリングされる様子を示している。図４において、横軸は周波数を示している。
【００５５】
図４の最上段には、ＷＤＭ信号Ｐ０が示されている。
【００５６】
図４の第２段目のグラフＡ１、Ｂ１は、インタリーバ１の出力ポートＡ１側の透過特性を実線で、インタリーバ２のポートＢ１側の透過特性を破線で、それぞれ示している。第３段目のグラフＡ１∧Ｂ１は、図３を参照して説明したように、インタリーバ１のポートＡ１をインタリーバ２の入力ポートＢ０に接続した場合のインタリーバ２の出力ポートＢ１側の透過特性を示している。他の第５段目のグラフＡ１、Ｂ２、第６段目のグラフＡ１∧Ｂ２についても同様である。
【００５７】
グラフＡ１∧Ｂ１の透過帯域は、７５ＧＨｚの帯域幅を有する４０Ｇｂｉｔ／ｓのチャネルｃｈ２、ｃｈ６、…（チャネルｃｈ［４ｉ−２］）が配置されたＩＴＵ−Ｔグリッド（周波数ｆ２、ｆ６、…）を中心として７５ＧＨｚの帯域幅を有する。また、グラフＡ１∧Ｂ２の透過帯域は、２５ＧＨｚの帯域幅を有する１０Ｇｂｉｔ／ｓのチャネルｃｈ１、ｃｈ５、…（チャネルｃｈ［４ｉ−３］）が配置されたＩＴＵ−Ｔグリッド（周波数ｆ１、ｆ５、…）を中心として２５ＧＨｚの帯域幅を有する。
【００５８】
したがって、ＷＤＭ信号Ｐ０がインタリーバ１および２を通過することにより、インタリーバ２の出力ポートＢ１からは、図４のＷＤＭ信号Ｐ１に示すように、４０Ｇｂｉｔ／ｓのチャネルｃｈ［４ｉ−２］の光信号のみが出力され、また、インタリーバ２の出力ポートＢ２からは、ＷＤＭ信号Ｐ２に示すように、１０Ｇｂｉｔ／ｓのチャネル［４ｉ−３］の光信号のみが出力される。
【００５９】
グラフＡ２∧Ｃ１の透過帯域は、２５ＧＨｚの透過帯域幅を有する１０Ｇｂｉｔ／ｓのチャネルｃｈ３、ｃｈ７、…（チャネルｃｈ［４ｉ−１］）が配置されたＩＴＵ−Ｔグリッド（周波数ｆ３、ｆ７、…）を中心として２５ＧＨｚの帯域幅を有する。また、グラフＡ２∧Ｃ２の透過帯域は、７５ＧＨｚの透過帯域幅を有する４０Ｇｂｉｔ／ｓのチャネルｃｈ４、ｃｈ８、…（チャネルｃｈ［４ｉ］）が配置されたＩＴＵ−Ｔグリッド（周波数ｆ４、ｆ８、…）を中心として７５ＧＨｚの帯域幅を有する。
【００６０】
したがって、ＷＤＭ信号Ｐ０がインタリーバ１および３を通過することにより、インタリーバ３の出力ポートＣ１からは、ＷＤＭ信号Ｐ３に示すように、ＷＤＭ信号Ｐ０のうち１０Ｇｂｉｔ／ｓのチャネルｃｈ［４ｉ−１］）の光信号のみが出力され、また、インタリーバ３の出力ポートＣ２からは、ＷＤＭ信号Ｐ４に示すように、４０Ｇｂｉｔ／ｓのチャネルｃｈ［４ｉ］の光信号のみが出力される。
【００６１】
このように、４０Ｇｂｉｔ／ｓの光信号は、中心周波数がシフトした２つのインタリーバにより構成される通過帯域幅７５ＧＨｚの不等間隔インタリーバによってフィルタリングされる。また、１０Ｇｂｉｔ／ｓの光信号は、中心周波数がシフトした２つのインタリーバの組み合わせにより構成される透過帯域幅２５ＧＨｚの不等間隔インタリーバによりフィルタリングされる。したがって、４０Ｇｂｉｔ／ｓおよび１０Ｇｂｉｔ／ｓの各チャネルの信号は、いずれもクロストークや信号成分が除去される等の品質劣化の少ない状態で取り出される。
【００６２】
なお、図４の最下段には、グラフＡ１∧Ｂ１、Ａ１∧Ｂ２、Ａ２∧Ｃ１、およびＡ２∧Ｃ２を重ね合わせたグラフが示されている。
【００６３】
インタリーバ２の出力ポートＢ１およびＢ２からそれぞれ出力されたＷＤＭ信号Ｐ１およびＰ２は、分波器４および５にそれぞれ入力され、各チャネルの光信号に分波される（図１参照）。また、インタリーバ３の出力ポートＣ１およびＣ２から出力されるＷＤＭ信号Ｐ３およびＰ４は、分波器６および７にそれぞれ入力され、各チャネルの光信号に分波される（図１参照）。
【００６４】
次に、図１（Ｂ）に示す合波部について簡単に説明する。
【００６５】
合波器４には、チャネルｃｈ［４ｉ−２］の光信号が入力され、ＷＤＭ信号Ｐ１に合波（多重化）される。ＷＤＭ信号Ｐ１はインタリーバ２の入力ポートＢ１に入力される。合波器５には、チャネルｃｈ［４ｉ−３］の光信号が入力され、ＷＤＭ信号Ｐ２に合波される。ＷＤＭ信号Ｐ２はインタリーバ２の入力ポートＢ２に入力される。合波器６には、チャネルｃｈ［４ｉ−１］の光信号が入力され、ＷＤＭ信号Ｐ３に合波される。ＷＤＭ信号Ｐ３はインタリーバ３の入力ポートＣ１に入力される。合波器７には、チャネルｃｈ［４ｉ］の光信号が入力され、ＷＤＭ信号Ｐ４に合波される。ＷＤＭ信号Ｐ４はインタリーバ３の入力ポートＣ２に入力される。
【００６６】
ＷＤＭ信号Ｐ１およびＰ２は、インタリーバ２を通過することにより、インタリーバ２の透過特性（図４のグラフＢ１およびＢ２）に基づいてフィルタリングされると共に合波され、出力ポートＢ０からインタリーバ１の入力ポートＡ１に入力される。
【００６７】
ＷＤＭ信号Ｐ３およびＰ４は、インタリーバ３を通過することにより、インタリーバ３の透過特性（図４のグラフＣ１およびＣ２）に基づいてフィルタリングされると共に合波され、出力ポートＣ０からインタリーバ１の入力ポートＡ２に入力される。
【００６８】
インタリーバ１の入力ポートＡ１およびＡ２に入力されたＷＤＭ信号は、インタリーバ１の透過特性（図４のグラフＡ１およびＡ２参照）に基づいてフィルタリングされると共にＷＤＭ信号Ｐ０に合波され、出力ポートＡ０から出力される。
【００６９】
なお、各インタリーバによるフィルタリングにより、光信号の存在する帯域以外の部分に存在するノイズ等を除去することができる。
【００７０】
このように、本実施の形態によると、インタリーバの中心周波数（中心波長）を調整することによって、１０Ｇｂｉｔ／ｓおよび４０Ｇｂｉｔ／ｓ混載システムに柔軟に対応することができる。また、光信号のビットレートが変更される場合にも、インタリーバの中心周波数を調整することによって柔軟に対応することができる。
【００７１】
なお、光信号の変調方式（ＮＲＺ方式、ＲＺ方式、ＣＳＲＺ方式等）が変更される場合にも、光信号の帯域幅が変化するが、この場合にも、ビットレートが変更される場合と同様にして柔軟に対応することができる。
【００７２】
＜第２の実施の形態＞
本発明の第２の実施の形態では、狭帯域インタリーバによって１０Ｇｂｉｔ／ｓ信号と４０Ｇｂｉｔ／ｓ信号の合分波が行われる。
【００７３】
図６（Ａ）は、本発明の第２の実施の形態によるＷＤＭ伝送システムの分波部の構成を示すブロック図であり、図６（Ｂ）は、該ＷＤＭ伝送システムの合波部の構成を示すブロック図である。
【００７４】
分波部は、カプラ１１、狭帯域インタリーバ１２および１３、ならびに分波器４〜７を有する。図１（Ａ）に示す第１の実施の形態と同じ構成要素（分波器４〜７）およびＷＤＭ信号Ｐ０〜Ｐ４には同じ符号を付し、説明を省略する。ただし、分波器４〜６およびＷＤＭ信号Ｐ１〜Ｐ３の配置は異なる。合波部についても同様である。
【００７５】
カプラ１１は、入力ポートＡ１０に入力されたＷＤＭ信号Ｐ０を２つの出力ポートＡ１１およびＡ１２にそのまま出力する。出力されたＷＤＭ信号Ｐ０は、狭帯域インタリーバ１２の入力ポートＢ１０および狭帯域インタリーバ１３の入力ポートＣ１０に入力される。
【００７６】
狭帯域インタリーバ１２および１３は、１００ＧＨｚ間隔の光信号を偶数チャネルと奇数チャネルとに分離して、２００ＧＨｚ間隔のＷＤＭ信号にすると共に、内部に設けられた狭帯域フィルタにより所定の帯域幅の信号成分のみを通過させ、あるいは、入出力関係を逆にすることにより、該狭帯域フィルタにより所定の帯域幅の信号成分のみを通過させると共に、２００ＧＨｚ間隔の偶数チャネルおよび奇数チャネルのＷＤＭ信号を合波して１００ＧＨｚ間隔の光信号にするインタリーバである。
【００７７】
このような狭帯域インタリーバは、例えば、入力されるＷＤＭ信号を構成する各光信号を所定の透過帯域幅でフィルタリングする狭帯域フィルタを公知のインタリーバに組み込むことにより構成することができる。
【００７８】
図７は、インタリーバ１２および１３の透過特性ならびにＷＤＭ信号Ｐ０がインタリーバ１２および１３によりフィルタリングされる様子を示している。
【００７９】
グラフＢ１１は、狭帯域インタリーバ１２の出力ポートＢ１１側の透過特性を示し、グラフＢ１２は、狭帯域インタリーバ１２の出力ポートＢ１２側の透過特性を示している。内部に設けられた狭帯域フィルタにより、狭帯域インタリーバ１２の透過帯域の帯域幅は１００ＧＨｚから２５ＧＨｚに縮小され、不透過帯域の帯域幅は１００ＧＨｚから１７５ＧＨｚに拡張されている。
【００８０】
ポートＢ１１側の透過帯域の中心周波数は、ＩＴＵ−Ｔグリッドの周波数ｆ１、ｆ５、…に設定される。ポートＢ１２側の透過帯域の中心周波数は、ＩＴＵ−Ｔグリッドの周波数ｆ３、ｆ７、…に設定される。
【００８１】
グラフＣ１１は、狭帯域インタリーバ１３の出力ポートＣ１１側の透過特性を示し、グラフＣ１２は、狭帯域インタリーバ１３の出力ポートＣ１２側の透過特性を示している。狭帯域インタリーバ１３についても同様に、内部の狭帯域フィルタにより、出力ポートＣ１１側およびＣ１２側の透過帯域の帯域幅は１００ＧＨｚから７５ＧＨｚに縮小され、不透過帯域の帯域幅は１００ＧＨｚから１２５ＧＨｚに拡大されている。ポートＣ１１側の透過帯域の中心周波数は、ＩＴＵ−Ｔグリッドの周波数ｆ２、ｆ６、…に設定される。ポートＣ１２側の透過帯域の中心周波数は、ＩＴＵ−Ｔグリッドの周波数ｆ４、ｆ８、…に設定される。
【００８２】
このようなインタリーバ１２および１３を使用することにより、出力ポートＢ１からはチャネルｃｈ［４ｉ−３］のＷＤＭ信号Ｐ２のみが出力され、出力ポートＢ２からはチャネルｃｈ［４ｉ−１］のＷＤＭ信号Ｐ３のみが出力される。また、出力ポートＣ１からはチャネルｃｈ［４ｉ−２］のＷＤＭ信号Ｐ１のみが出力され、出力ポートＣ２からはチャネルｃｈ［４ｉ］のＷＤＭ信号Ｐ４のみが出力される。
【００８３】
次に、図６（Ｂ）に示す合波部について簡単に説明する。
【００８４】
合波器５には、チャネルｃｈ［４ｉ−３］の光信号が入力され、ＷＤＭ信号Ｐ２に合波される。ＷＤＭ信号Ｐ２は狭帯域インタリーバ１２の入力ポートＢ１１に入力される。合波器６には、チャネルｃｈ［４ｉ−１］の光信号が入力され、ＷＤＭ信号Ｐ３に合波される。ＷＤＭ信号Ｐ３はインタリーバ１２の入力ポートＢ１２に入力される。合波器４には、チャネルｃｈ［４ｉ−２］の光信号が入力され、ＷＤＭ信号Ｐ１に合波される。ＷＤＭ信号Ｐ１はインタリーバ１３の入力ポートＣ１１に入力される。合波器７には、チャネルｃｈ［４ｉ］の光信号が入力され、ＷＤＭ信号Ｐ４に合波される。ＷＤＭ信号Ｐ４はインタリーバ１３の入力ポートＣ１２に入力される。
【００８５】
ＷＤＭ信号Ｐ１およびＰ２は、インタリーバ１２を通過することにより、インタリーバ１２の透過特性（図６のグラフＢ１１およびＢ１２）に基づいてフィルタリングされると共に合波され、出力ポートＢ１０からカプラ１１の入力ポートＡ１１に入力される。
【００８６】
ＷＤＭ信号Ｐ３およびＰ４は、インタリーバ１３を通過することにより、インタリーバ１３の透過特性（図６のグラフＣ１１およびＣ１２）に基づいてフィルタリングされると共に合波され、出力ポートＣ１０からカプラ１１の入力ポートＡ１２に入力される。
【００８７】
カプラ１１の入力ポートＡ１１およびＡ１２に入力されたＷＤＭ信号は、ＷＤＭ信号Ｐ０に合波され、出力ポートＡ０から出力される。
【００８８】
各インタリーバによるフィルタリングにより、光信号の存在する帯域以外の部分に存在するノイズ等を除去することができる。
【００８９】
なお、合波部のカプラ１１はインタリーバであってもよい。
【００９０】
このように本実施の形態によると、インタリーバに設けられた狭帯域フィルタの帯域幅を調整することによって、１０Ｇｂｉｔ／ｓおよび４０Ｇｂｉｔ／ｓ混載システムに柔軟に対応することができる。また、光信号のビットレートが変更される場合にも、インタリーバの狭帯域フィルタに帯域幅を調整することによって柔軟に対応することができる。
【００９１】
なお、光信号の変調方式（ＮＲＺ方式、ＲＺ方式、ＣＳＲＺ方式等）が変更される場合にも、光信号の帯域幅が変化するが、この場合にも、ビットレートが変更される場合と同様にして柔軟に対応することができる。
【００９２】
＜第３の実施の形態＞
本発明の第３の実施の形態では、インタリーバと分波器（合波器）によって１０Ｇｂｉｔ／ｓ信号と４０Ｇｂｉｔ／ｓ信号の合分波が行われる。
【００９３】
図８（Ａ）は、本発明の第３の実施の形態によるＷＤＭ伝送システムの分波部の構成を示すブロック図であり、図８（Ｂ）は、該ＷＤＭ伝送システムの合波部の構成を示すブロック図である。
【００９４】
分波部は、カプラ１１、インタリーバ２２および２３、ならびに分波器２４〜２７を有する。カプラ１１は、図６に示す第２の実施の形態のカプラ１１と同じものである。また、光信号Ｐ０も第１および第２の実施の形態のものと同じである。
【００９５】
カプラ１１の入力ポートＡ１０に入力されたＷＤＭ信号Ｐ０は、出力ポートＡ１１およびＡ１２から２つのインタリーバ２２および２３にそれぞれ入力される。
【００９６】
インタリーバ２２および２３は、第１の実施の形態のインタリーバ２および３と同様のインタリーバであるが、透過帯域（および不透過帯域）の中心周波数のシフト量が第１の実施の形態のものと異なっている。また、分波器２４〜２７は、第１の実施の形態の分波器４等と同様に、周波数間隔２００ＧＨｚの１対Ｎチャネルの分波器であるが、透過帯域（および不透過帯域）の中心周波数がＩＴＵ−Ｔグリッドからシフトしている点が異なる。
【００９７】
図９は、インタリーバ２２および２３ならびに分波器２４〜２７の透過特性と、ＷＤＭ信号Ｐ０がインタリーバ２２および２３によりフィルタリングされる様子を示している。
【００９８】
図９の第２段目の実線のグラフＢ２１は、インタリーバ２２のポートＢ２１側の透過特性を示し、破線のグラフ２４は、分波器２４の透過特性を示している。ポートＢ２１側の透過特性は、透過帯域の中心周波数が周波数ｆ１、ｆ５、…に対して＋３７．５ＧＨｚシフトしている。また、分波器２４の透過帯域の中心周波数は、周波数ｆ１、ｆ５、…に対して−３７．５ＧＨｚシフトしている。分波器２４の中心周波数のこのようなシフトは、インタリーバと同様に、公知のＡＷＧフィルタや多層膜フィルタ等により構成できる分波器２４の温度を、サーモスタット等によって調整することにより行うことができる。他の分波器２４〜２７についても同様である。
【００９９】
したがって、出力ポートＢ２１を分波器２４に接続することにより、第３段目のグラフＢ２１∧２４に示すように、透過帯域の中心周波数がｆ１、ｆ５、…（ｆ［４ｉ−３］）、帯域幅が２５ＧＨｚの不等間隔のインタリーバ（フィルタ）／分波器が構成される。そして、ＷＤＭ信号Ｐ０がインタリーバ２２および分波器２４を通過することにより、分波されたチャネルｃｈ１、ｃｈ５、…（チャネルｃｈ［４ｉ−３］）の１０Ｇｂｉｔ／ｓ光信号が分波器２４から出力される。
【０１００】
第５段目の実線のグラフＢ２２に示すように、インタリーバ２２の出力ポートＢ２２側の透過特性は出力ポートＢ２１側の透過特性と逆であり、透過帯域の中心周波数が周波数ｆ３、ｆ７、…（ｆ［４ｉ−１］）に対して＋３７．５ＧＨｚシフトしている。また、グラフ２５に示すように、分波器２５の透過特性は分波器２４の透過特性と逆であり、透過帯域の中心周波数が周波数ｆ３、ｆ７、…に対して−３７．５ＧＨｚシフトしている。
【０１０１】
したがって、出力ポートＢ２２を分波器２５に接続することにより、第６段目のグラフＢ２２∧２５に示すように、透過帯域の中心周波数がｆ３、ｆ７、…（ｆ［４ｉ−１］）、帯域幅が２５ＧＨｚの不等間隔のインタリーバ（フィルタ）／分波器が構成される。そして、ＷＤＭ信号Ｐ０がインタリーバ２２および分波器２５を通過することにより、分波されたチャネルｃｈ３、ｃｈ７、…（チャネルｃｈ［４ｉ−１］）の１０Ｇｂｉｔ／ｓ光信号が分波器２５から出力される。
【０１０２】
第８段目の実線のグラフＣ２１に示すように、ポートＣ２１側の透過特性は、透過帯域の中心周波数が周波数ｆ２、ｆ６、…に対して−１２．５ＧＨｚシフトしている。また、分波器２６の透過帯域の中心周波数は、周波数ｆ２、ｆ６、…に対して−１２．５ＧＨｚシフトしている。
【０１０３】
したがって、出力ポートＣ２１を分波器２６に接続することにより、グラフＣ２１∧２６に示すように、透過帯域の中心周波数がｆ２、ｆ６、…（ｆ［４ｉ−２］）、帯域幅が７５ＧＨｚの不等間隔のインタリーバ（フィルタ）／分波器が構成される。そして、ＷＤＭ信号Ｐ０がインタリーバ２３および分波器２６を通過することにより、分波されたチャネルｃｈ２、ｃｈ６、…（チャネルｃｈ［４ｉ−２］）の４０Ｇｂｉｔ／ｓ光信号が分波器２６から出力される。
【０１０４】
実線のグラフＣ２２に示すように、インタリーバ２３の出力ポートＣ２２側の透過特性は出力ポートＣ２１側の透過特性と逆であり、透過帯域の中心周波数が周波数ｆ４、ｆ８、…（ｆ［４ｉ］）に対して−１２．５ＧＨｚシフトしている。また、グラフ２７に示すように、分波器２７の透過特性は分波器２６の透過特性と逆であり、透過帯域の中心周波数が周波数ｆ３、ｆ７、…に対して−３７．５ＧＨｚシフトしている。
【０１０５】
したがって、出力ポートＣ２２を分波器２７に接続することにより、グラフＣ２２∧２７に示すように、透過帯域の中心周波数がｆ４、ｆ８、…（ｆ［４ｉ］）、帯域幅が７５ＧＨｚの不等間隔のインタリーバ（フィルタ）／分波器が構成される。そして、ＷＤＭ信号Ｐ０がインタリーバ２３および分波器２７を通過することにより、分波されたチャネルｃｈ４、ｃｈ８、…（チャネルｃｈ［４ｉ］）の４０Ｇｂｉｔ／ｓ光信号が分波器２７から出力される。
【０１０６】
なお、図９から分かるように、インタリーバ２３の透過特性は、結果として、インタリーバ２２の透過特性と同じになる。また、インタリーバと分波器の透過特性が逆であってもよい。例えば、インタリーバ２２の出力ポートＢ２１側の透過特性が分波器２４の破線のグラフ２４の特性を有し、分波器２４の透過特性がインタリーバ２２の出力ポートＢ２１側の特性を有していてもよい。
【０１０７】
次に、図８（Ｂ）に示す合波部について簡単に説明する。
【０１０８】
合波器２４には、チャネルｃｈ［４ｉ−３］の１０Ｇｂｉｔ／ｓ光信号が入力され、ＷＤＭ信号Ｐ２に合波される。ＷＤＭ信号Ｐ２はインタリーバ２の入力ポートＢ２１に入力される。合波器２５には、チャネルｃｈ［４ｉ−１］の１０Ｇｂｉｔ／ｓ光信号が入力され、ＷＤＭ信号Ｐ３に合波される。ＷＤＭ信号Ｐ３はインタリーバ２２の入力ポートＢ２２に入力される。合波器２６には、チャネルｃｈ［４ｉ−２］の４０Ｇｂｉｔ／ｓ光信号が入力され、ＷＤＭ信号Ｐ１に合波される。ＷＤＭ信号Ｐ３はインタリーバ２３の入力ポートＣ２１に入力される。合波器２７には、チャネルｃｈ［４ｉ］の４０Ｇｂｉｔ／ｓ光信号が入力され、ＷＤＭ信号Ｐ４に合波される。ＷＤＭ信号Ｐ４はインタリーバ２３の入力ポートＣ２２に入力される。
【０１０９】
ＷＤＭ信号Ｐ２およびＰ３は、インタリーバ２２を通過することにより、合波され、出力ポートＢ２０からカプラ１１の入力ポートＡ１１に入力される。ＷＤＭ信号Ｐ１およびＰ４は、インタリーバ２３を通過することにより、合波され、出力ポートＣ２０からカプラ１１の入力ポートＡ１２に入力される。
【０１１０】
カプラ１１に入力された信号は合波され、ＷＤＭ信号Ｐ０として出力ポートＡ１０から出力される。
【０１１１】
各ＷＤＭ信号を構成する光信号は、合波器２４〜２７ならびにインタリーバ２２および２３の透過特性によりフィルタリングされ、光信号の存在する帯域以外の部分に存在するノイズ等が除去される。
【０１１２】
このように、本実施の形態によると、インタリーバおよび分波器の中心周波数（中心波長）を調整することによって、１０Ｇｂｉｔ／ｓおよび４０Ｇｂｉｔ／ｓ混載システムに柔軟に対応することができる。また、光信号のビットレートが変更される場合にも、インタリーバおよび分波器の中心周波数を調整することによって柔軟に対応することができる。
【０１１３】
なお、光信号の変調方式（ＮＲＺ方式、ＲＺ方式、ＣＳＲＺ方式等）が変更される場合にも、光信号の帯域幅が変化するが、この場合にも、ビットレートが変更される場合と同様にして柔軟に対応することができる。
＜第４の実施の形態＞
本発明の第４の実施の形態では、狭帯域合分波器および狭帯域インタリーバにより、１０Ｇｂｉｔ／ｓおよび４０Ｇｂｉｔ／ｓの光信号が合分波される。
【０１１４】
図１０（Ａ）は、本発明の第４の実施の形態によるＷＤＭ伝送システムの分波部の構成を示すブロック図であり、図１０（Ｂ）は、該ＷＤＭ伝送システムの合波部の構成を示すブロック図である。
【０１１５】
分波部は、カプラ１１、狭帯域インタリーバ１３、ならびに狭帯域分波器３１、４、および７を有する。第１の実施の形態と同じ構成要素（分波器４および７）および第２の実施の形態と同じ構成要素（カプラ１１および狭帯域インタリーバ１３）には同じ符号を付し、説明を省略する。
【０１１６】
カプラ１１から出力されたＷＤＭ信号Ｐ０は、分波器３１および狭帯域インタリーバ１３に入力される。
【０１１７】
狭帯域分波器３１は、１００ＧＨｚの周波数間隔を有し、内部に設けられた狭帯域フィルタにより、分波した各光信号の所定の帯域幅の信号成分のみを通過させる。このような狭帯域分波器３１は、例えば、入力される各光信号を所定の透過帯域幅でフィルタリングする狭帯域フィルタを公知のＡＷＧフィルタ等に組み込むことにより構成することができる。ここでは、狭帯域フィルタの帯域幅が１０Ｇｂｉｔ／ｓ光信号の帯域幅と同じ２５ＧＨｚに設定され、したがって２５ＧＨｚの帯域幅の信号成分のみが通過する。
【０１１８】
図１１は、狭帯域分波器３１および狭帯域インタリーバ１３の透過特性と、ＷＤＭ信号Ｐ０が狭帯域分波器３１および狭帯域インタリーバ１３によりフィルタリングされる様子を示している。
【０１１９】
図１１の第２段目のグラフ３１は、狭帯域分波器３１の透過特性を示している。狭帯域分波器３１は、周波数間隔１００ＧＨｚであるので、１００ＧＨｚ間隔で透過帯域および不透過帯域を繰り返す。また、内部に設けられた狭帯域フィルタにより、透過帯域の帯域幅は２５ＧＨｚに縮小され、不透過帯域の帯域幅は７５ＧＨｚに拡張されている。透過帯域の中心周波数は、周波数ｆ１、ｆ３、…（ｆ［２ｉ−１］）に設定される。
【０１２０】
この狭帯域分波器３１により、入力されるＷＤＭ信号Ｐ０のうち、チャネルｃｈ［２ｉ−１］の１０Ｇｂｉｔ／ｓ光信号のみが通過し、分波される。
【０１２１】
図７を参照して説明したように、狭帯域インタリーバ１３の出力ポートＣ１１側および出力ポートＣ１２側の透過特性は、それぞれ第４段目のグラフＣ１１および第６段目のグラフＣ１２となる。ＷＤＭ信号Ｐ０が狭帯域インタリーバ１３を通過することにより、出力ポートＣ１１からは、チャネルｃｈ［４ｉ−２］の４０ＧＨｚのＷＤＭ信号が出力され、分波器４により各チャネルに光信号に分波される。また、出力ポートＣ１２からは、チャネルｃｈ［４ｉ］の４０ＧＨｚのＷＤＭ信号が出力され、分波器７により各チャネルに光信号に分波される。
【０１２２】
次に、図１１（Ｂ）に示す合波部について簡単に説明する。
【０１２３】
合波器３１には、チャネルｃｈ［２ｉ−１］の１０Ｇｂｉｔ／ｓの光信号が入力され、合波された後、カプラ１１に入力される。
【０１２４】
合波器４には、チャネルｃｈ［４ｉ−２］の４０Ｇｂｉｔ／ｓの光信号が入力され、合波された後、狭帯域インタリーバ１３の入力ポートＣ１１に入力される。合波器７には、チャネルｃｈ［４ｉ］の４０Ｇｂｉｔ／ｓの光信号が入力され、合波された後、狭帯域インタリーバ１３の入力ポートＣ１２に入力される。
【０１２５】
狭帯域インタリーバ１３は、入力ポートＣ１１およびＣ１２に入力されたＷＤＭ信号を合波して出力ポートＣ１０からカプラ１１に出力する。カプラ１１では、分波器３１および狭帯域インタリーバ１３からのＷＤＭ信号が合波され、ＷＤＭ信号Ｐ０が出力される。
【０１２６】
各合波器およびインタリーバによるフィルタリングにより、光信号の存在する帯域以外の部分に存在するノイズ等を除去することができる。
【０１２７】
なお、合波部のカプラ１１はインタリーバであってもよい。
【０１２８】
このように本実施の形態によっても、１０Ｇｂｉｔ／ｓおよび４０ｂｉｔ／ｓの光信号の合分波を行うことができる。また、分波器および狭帯域インタリーバの狭帯域フィルタを、信号の帯域幅に応じて設定することにより、光信号のビットレートが変更された場合にも柔軟に対応することができる。
【０１２９】
なお、光信号の変調方式（ＮＲＺ方式、ＲＺ方式、ＣＳＲＺ方式等）が変更された場合にも、ビットレートが変更された場合と同様にして柔軟に対応することができる。
【０１３０】
＜第５の実施の形態＞
本発明の第５の実施の形態では、狭帯域合分波器および広帯域合分波器により、１０Ｇｂｉｔ／ｓおよび４０Ｇｂｉｔ／ｓの光信号の合分波が行われる。
【０１３１】
図１２（Ａ）は、本発明の第５の実施の形態によるＷＤＭ伝送システムの分波部の構成を示すブロック図であり、図１２（Ｂ）は、該ＷＤＭ伝送システムの合波部の構成を示すブロック図である。
【０１３２】
分波部は、カプラ１１ならびに分波器５１および５２を有する。カプラ１１は、図６に示す第２の実施の形態の同じ符号のものと同じであり、狭帯域インタリーバ３１は第４の実施の形態の同じ符号のものと同じである。また、光信号Ｐ０もこれまで述べた実施の形態のものと同じである。
【０１３３】
カプラ１１に入力されたＷＤＭ信号Ｐ０は、狭帯域分波器３１および広帯域分波器５２に入力される。
【０１３４】
図１３は、狭帯域分波器３１および広帯域分波器５２の透過特性と、ＷＤＭ信号Ｐ０が狭帯域分波器３１および広帯域分波器５２によりフィルタリングされる様子を示している。
【０１３５】
図１３の第２段目のグラフ３１に示す狭帯域分波器３１の透過特性により、ＷＤＭ信号Ｐ０のうち、チャネルｃｈ［２ｉ−１］の１０Ｇｂｉｔ／ｓの光信号が分波器３１により分波され、出力される。
【０１３６】
図１３のグラフ５２に示すように、広帯域分波器５２は、１００ＧＨｚ間隔で透過帯域および不透過帯域が交互に繰り返し、透過帯域の帯域幅は５０ＧＨｚから７５ＧＨｚに拡張され、不透過帯域は５０ＧＨｚから２５ＧＨｚに縮小されている。透過帯域の中心周波数は、周波数ｆ［２ｉ］に設定されている。このような特性を有する広帯域分波器５２により、ＷＤＭ信号Ｐ０のうち、チャネルｃｈ［２ｉ］の４０Ｇｂｉｔ／ｓの光信号が分波され、出力される。
【０１３７】
次に、図１２（Ｂ）に示す合波部について簡単に説明する。
【０１３８】
合波器３１には、チャネルｃｈ［２ｉ−１］の１０Ｇｂｉｔ／ｓの光信号が入力され、合波された後、カプラ１１に入力される。合波器５２には、チャネルｃｈ［２ｉ］の４０Ｇｂｉｔ／ｓの光信号が入力され、合波された後、カプラ１１に入力される。カプラ１１では、これら２つの合波器３１および５２からのＷＤＭ信号が合波され、出力される。
【０１３９】
各合波器の透過特性により、光信号の存在する帯域以外の部分に存在するノイズ等が除去される。
【０１４０】
このように、本実施の形態によっても、１０Ｇｂｉｔ／ｓおよび４０Ｇｂｉｔ／ｓ混載の光信号の合分波を行うことができる。また、狭帯域分波器および広帯域分波器の透過帯域（不透過帯域）を調整することにより、信号帯域の変更に柔軟に対応することができる。
【０１４１】
＜第６の実施の形態＞
第５の実施の形態は、１０Ｇｂｉｔ／ｓの光信号が３チャネルに対して４０Ｇｂｉｔ／ｓの光信号が１チャネルの割合で合波されたＷＤＭ信号の合分波を、インタリーバの組み合わせにより行うものである。
【０１４２】
図１４（Ａ）は、本発明の第６の実施の形態によるＷＤＭ伝送システムの分波部の構成を示すブロック図であり、図１４（Ｂ）は、該ＷＤＭ伝送システムの合波部の構成を示すブロック図である。
【０１４３】
分波部は、インタリーバ６１および６２ならびに分波器６３〜６５を有する。この分波部のインタリーバ６１には、ＷＤＭ信号Ｐ１０が入力される。図１５の最上段には、ＷＤＭ信号Ｐ１０が示されている。
【０１４４】
ＷＤＭ信号Ｐ１０は、２５ＧＨｚの帯域幅の１０Ｇｂｉｔ／ｓの光信号が３チャネルに対して、７５ＧＨｚの帯域幅の４０Ｇｂｉｔ／ｓの光信号が１チャネルの割合で合波された信号である。図１５では、１０Ｇｂｉｔ／ｓの光信号は、３チャネル隣接して配置され、これらの３チャネルの１０Ｇｂｉｔ／ｓ信号群の間に４０Ｇｂｉｔ／ｓ信号が配置されている。具体的には、１０Ｇｂｉｔ／ｓ信号はチャネルｃｈ１〜ｃｈ３、ｃｈ５〜ｃｈ７、ｃｈ９〜ｃｈ１１、…に割り当てられ、４０Ｇｂｉｔ／ｓ信号はチャネルｃｈ４、ｃｈ８、ｃｈ１２、…に割り当てられる。
【０１４５】
隣接する１０Ｇｂｉｔ／ｓの光信号は、２５ＧＨｚ間隔で配置されている。したがって、周波数ｆ１とｆ２との間に、周波数ｆ１０（＝（ｆ１＋ｆ２）／２）のグリッドが設けられる。同様にして、周波数ｆ２０、ｆ３０、…のグリッドが設けられる。
【０１４６】
このＷＤＭ信号は、周波数利用効率０．４７Ｇｂｉｔ／ｓ／Ｈｚを有し、比較的高い周波数利用効率を得ることができる（図５（Ｂ）参照）。
【０１４７】
インタリーバ６１は、第１の実施の形態のインタリーバ１と同様の機能を有するが、合分波後の周波数間隔がインタリーバ１と異なり、分波後の周波数間隔が１５０ＧＨｚ間隔、合波後の周波数間隔が７５ＧＨｚである。インタリーバ６２も、インタリーバ１と同様の機能を有するが、合分波後の周波数間隔がインタリーバ１と異なり、分波後の周波数間隔が５０ＧＨｚ間隔であり、合波後の周波数間隔が２５ＧＨｚ間隔である。
【０１４８】
図１５は、インタリーバ６１および６２の透過特性と、ＷＤＭ信号Ｐ１０がインタリーバ６１および６２によりフィルタリングされる様子を示している。
【０１４９】
図１５の第２段目のグラフＡ６１は、インタリーバ６１の出力ポートＡ６１側の透過特性を示している。出力ポートＡ６１側では、７５ＧＨｚの帯域幅を有する透過帯域および不透過帯域が交互に繰り返し、透過帯域の中心周波数は、隣接する３チャネルの中心のチャネルｃｈ２、ｃｈ６、ｃｈ１０、…のグリッドに設定される。これにより、第３段目に示すように、出力ポートＡ６１からは、隣接する３チャネルの１０Ｇｂｉｔ／ｓ信号のみが出力され、４０Ｇｂｉｔ／ｓ信号は除去される。出力された１０Ｇｂｉｔ／ｓ信号は、インタリーバ６２の入力ポートＢ６０に入力される。
【０１５０】
第８段目のグラフＡ６２は、インタリーバ６１の出力ポートＡ６２側の透過特性を示している。出力ポートＡ６２側の透過特性は、出力ポートＡ６１側の透過特性とは逆である。これにより、出力ポートＡ６２からは、４０Ｇｂｉｔ／ｓ信号のみが出力され、１０Ｇｂｉｔ／ｓ信号は除去される。出力された４０Ｇｂｉｔ／ｓ信号は、分波器６５に与えられ、各波長の光信号に分波される。
【０１５１】
なお、分波器６５は、１５０ＧＨｚ間隔の中心周波数ｆ１０、ｆ４０、ｆ８０、…で帯域幅が少なくとも２５ＧＨｚの透過帯域を有するＡＷＧフィルタ等を使用することができる。
【０１５２】
第４段目のグラフＢ６１は、インタリーバ６２の出力ポートＢ６１側の透過特性を示している。出力ポートＢ６１側では、２５ＧＨｚの帯域幅を有する透過帯域および不透過帯域が交互に繰り返し、透過帯域の中心周波数は、チャネルｃｈ［２ｉ−１］のグリッドに設定される。これにより、１０Ｇｂｉｔ／ｓ信号のうち、チャネルｃｈ１、ｃｈ３、ｃｈ５、ｃｈ７、ｃｈ９、ｃｈ１１、…のみが出力され、チャネルｃｈ２、ｃｈ６、ｃｈ１０、…は除去される。出力された１０Ｇｂｉｔ／ｓ信号は、分波器６３により各波長の光信号に分波される。
【０１５３】
なお、分波器６３は、５０ＧＨｚ間隔の中心周波数ｆ１、ｆ２、ｆ３、…で帯域幅が少なくとも２５ＧＨｚの透過帯域を有するＡＷＧフィルタ等を使用することができ、分波器６３の出力端子のうち、光信号が出力されない周波数ｆ３、ｆ６、ｆ９、…の出力端子は使用されない。
【０１５４】
第６段目のグラフＢ６２は、インタリーバ６２の出力ポートＢ６２側の透過特性を示し、この透過特性は、出力ポートＢ６１側の透過特性（グラフＢ６１）と逆になっている。したがって、出力ポートＢ６２からは、チャネルｃｈ２、ｃｈ６、ｃｈ１０、…の１０Ｇｂｉｔ／ｓ信号のみが出力され、他の１０Ｇｂｉｔ／ｓ信号は除去される。出力された１０Ｇｂｉｔ／ｓ信号は、分波器６４により各波長の光信号に分波される。
【０１５５】
図１４（Ｂ）に示す合波部では、チャネルｃｈ１、ｃｈ３、ｃｈ５、ｃｈ７、ｃｈ９、ｃｈ１１、…の１０Ｇｂｉｔ／ｓ信号が合波器６３に入力され、合波された後、インタリーバ６２の入力ポートＢ６１に入力される。また、チャネルｃｈ２、ｃｈ４、ｃｈ１０、…の１０Ｇｂｉｔ／ｓ信号が合波器６４に入力され、合波された後、インタリーバ６２の入力ポートＢ６２に入力される。
【０１５６】
チャネルｃｈ４、ｃｈ８、ｃｈ１２、…の４０Ｇｂｉｔ／ｓ信号は、合波器６５に入力され、合波された後、インタリーバ６１の入力ポートＡ６２に入力される。
【０１５７】
インタリーバ６２は、合波器６３および６４からのＷＤＭ信号を合波し、合波後のＷＤＭ信号をインタリーバ６１の入力ポートＡ６１に入力する。インタリーバ６１は、インタリーバ６２および合波器６５からのＷＤＭ信号を合波して出力する。
【０１５８】
このように、１０Ｇｂｉｔ／ｓ信号と４０Ｇｂｉｔ／ｓ信号とが３対１の割合で配置されている場合においても、インタリーバを組み合わせることにより合分波することができる。
【０１５９】
＜第７の実施の形態＞
本発明の第７の実施の形態では、第６の実施の形態と同じＷＤＭ信号Ｐ１０が、第６の実施の形態と異なる構成のインタリーバにより合分波される。
【０１６０】
図１６（Ａ）は、本発明の第７の実施の形態によるＷＤＭ伝送システムの分波部の構成を示すブロック図であり、図１６（Ｂ）は、該ＷＤＭ伝送システムの合波部の構成を示すブロック図である。
【０１６１】
分波部は、カプラ１１、インタリーバ６２および６１、ならびに分波器６３〜６５を有する。インタリーバ６２および６１ならびに分波器６３〜６５は、前述した第６の実施の形態における同じ符号を有するものとそれぞれ同じである。また、カプラ１１は、第２の実施の形態等における同じ符号を有するものと同じである。
【０１６２】
この分波部にも、第６の実施の形態と同じ信号配置のＷＤＭ信号Ｐ０が入力される。入力されたＷＤＭ信号Ｐ０は、カプラ１１により２つに分岐され、インタリーバ６２および６１にそれぞれ入力される。
【０１６３】
インタリーバ６２の出力ポートＢ６１からは、図１７の第２段目に示す透過特性により、チャネルｃｈ１、ｃｈ３、ｃｈ５、ｃｈ７、ｃｈ９、ｃｈ１１、…の１０Ｇｂｉｔ／ｓ信号が出力される（第３段目参照）。これに加えて、出力ポートＢ６１からは、チャネルｃｈ４、ｃｈ８、ｃｈ１２、…の４０Ｇｂｉｔ／ｓ信号の一部の成分ｒ１、ｒ２、ｒ３、…が出力される。出力された信号および一部の成分は、分波器６３に入力され、各信号に分波され、出力される。分波器６３の出力端子のうち、一部の成分ｒ１、ｒ２、ｒ３、…が出力される出力端子を使用しないことにより、これらの成分を除去することができる。
【０１６４】
インタリーバ６２の出力ポートＢ６２から、第４段目に示す透過特性により、１０Ｇｂｉｔ／ｓのチャネルｃｈ２、ｃｈ６、ｃｈ１０、…に加えて、４０Ｇｂｉｔ／ｓの信号の一部の成分ｒ４、ｒ５、ｒ６、…が出力される（第５段目参照）。出力された信号および一部の成分は、分波器６４に入力され、各信号に分波され、出力される。分波器６３の出力端子のうち、一部の成分ｒ４、ｒ５、ｒ６、…が出力される出力端子を使用しないことにより、これらの成分を除去することができる。
【０１６５】
インタリーバ６１では、出力ポートＡ６２のみが使用され、出力ポートＡ６１は使用されない。これにより、第６段目および第７段目に示すように、４０Ｇｂｉｔ／ｓのチャネルｃｈ４、ｃｈ８、ｃｈ１２、…のみを分波器６５から得ることができる。
【０１６６】
図１６（Ｂ）に示す合波部では、チャネルｃｈ１、ｃｈ３、ｃｈ５、ｃｈ７、ｃｈ９、ｃｈ１１、…の１０Ｇｂｉｔ／ｓ信号が合波器６３に入力され、合波された後、インタリーバ６２の入力ポートＢ６１に入力される。また、チャネルｃｈ２、ｃｈ４、ｃｈ１０、…の１０Ｇｂｉｔ／ｓ信号が合波器６４に入力され、合波された後、インタリーバ６２の入力ポートＢ６２に入力される。
【０１６７】
チャネルｃｈ４、ｃｈ８、ｃｈ１２、…の４０Ｇｂｉｔ／ｓ信号は、合波器６５に入力され、合波された後、インタリーバ６１の入力ポートＡ６２に入力される。インタリーバ６１の入力ポートＡ６１は使用されない。
【０１６８】
インタリーバ６２は、合波器６３および６４からのＷＤＭ信号を合波し、合波後のＷＤＭ信号をカプラ１１に入力する。インタリーバ６１は、合波器６５からのＷＤＭ信号をカプラ１１に入力する。これにより、カプラ１１からは、ＷＤＭ信号Ｐ０が出力される。
【０１６９】
このように、１０Ｇｂｉｔ／ｓ信号と４０Ｇｂｉｔ／ｓ信号とが３対１の割合で配置されている場合においても、インタリーバを組み合わせることにより合分波することができる。
【０１７０】
（付記１）  異なる信号帯域幅を有する光信号が波長分割多重された波長分割多重信号を伝送する波長分割多重伝送システムにおいて、
前記波長分割多重信号を分波する分波部、および、入力される複数の光信号を合波する合波部の少なくとも一方を有し、
前記分波部は、分波された光信号を出力する複数の出力ポートを有し、各出力ポートは、光を透過する透過帯域の帯域幅と光を透過しない非透過帯域の帯域幅とが異なり、前記透過帯域が、前記受信された波長分割多重信号のうち、該出力ポートから出力される光信号の信号帯域と略一致するように設定された透過特性を有し、
前記合波部は、前記複数の光信号を入力する複数の入力ポートを有し、該複数の入力ポートからそれぞれ入力された光信号を各入力ポートの透過特性によりフィルタリングして合波し、前記各入力ポートは、該入力ポートに入力される光信号の信号帯域と略一致する透過帯域を有する、
ことを特徴とする波長分割多重伝送システム。
【０１７１】
（付記２）  異なる信号帯域幅を有する光信号が波長分割多重された波長分割多重信号を受信する光受信装置において、
前記波長分割多重信号を分波し、分波した光信号を複数の出力ポートから出力する分波部を備え、
各出力ポートは、光を透過する透過帯域の帯域幅と光を透過しない非透過帯域の帯域幅とが異なり、前記透過帯域が、前記受信された波長分割多重信号のうち、該出力ポートから出力される光信号の信号帯域と略一致するように設定された透過特性を有する、
ことを特徴する光受信装置。
【０１７２】
（付記３）  付記２において、
前記波長分割多重信号は、透過帯域幅Ｆ１を有する第１光信号と透過帯域幅Ｆ２を有する第２光信号とが周波数間隔Ｆ（Ｆ≧（Ｆ１＋Ｆ２）／２）で交互に配置され、
前記分波部は、前記波長分割多重信号を入力する入力ポートと、前記第１光信号の信号帯域と略一致する帯域を透過帯域として有する第１出力ポートと、前記第２光信号の信号帯域と略一致する帯域を透過帯域として有する第２出力ポートとを有するインタリーバを備えている、
ことを特徴する光受信装置。
【０１７３】
（付記４）  付記２において、
前記波長分割多重信号は、透過帯域幅Ｆ１を有する第１光信号と透過帯域幅Ｆ２を有する第２光信号とが周波数間隔Ｆ（Ｆ≧（Ｆ１＋Ｆ２）／２）で交互に配置され、
前記分波部は、
前記波長分割多重信号が入力され、帯域幅２Ｆの透過帯域および不透過帯域が交互に繰り返す透過特性により前記波長分割多重信号をフィルタリングして出力する第１ポートと、該第１ポートと逆の透過特性により前記波長分割多重信号をフィルタリングして出力する第２ポートとを有する第１インタリーバと、
前記第１ポートからの光信号が入力され、帯域幅２Ｆの透過帯域および不透過帯域が交互に繰り返す透過特性により前記第１ポートからの光信号をフィルタリングして出力する第３ポートと、該第３ポートと逆の透過特性により前記第１ポートからの光信号をフィルタリングして出力する第４ポートとを有する第２インタリーバと、
前記第２ポートからの光信号が入力され、帯域幅２Ｆの透過帯域および不透過帯域が交互に繰り返す透過特性により前記第２ポートからの光信号をフィルタリングして出力する第５ポートと、該第５ポートと逆の透過特性により前記第２ポートからの光信号をフィルタリングして出力する第６ポートとを有する第３インタリーバと、
を備え、
前記第１および第３ポートの透過帯域の重複部分が前記第２光信号の信号帯域を含み、前記第１および第４ポートの透過帯域の重複部分が前記第１光信号の信号帯域を含み、前記第２および第５ポートの透過帯域の重複部分が前記第１光信号の信号帯域を含み、前記第２および第６ポートの透過帯域の重複部分が前記第２光信号の信号帯域を含むように、前記第１、第２、および第３インタリーバの透過帯域の中心周波数が前記第１および第２光信号の信号帯域の中心周波数からシフトしている、
ことを特徴とする光受信装置。
【０１７４】
（付記５）  付記４において、
前記第１ポートの透過帯域の中心周波数は、前記第２光信号の信号帯域の中心周波数に対して周波数の低い側にＦ１／２シフトし、
前記第３および第５ポートの透過帯域の中心周波数は、前記第２光信号の信号帯域の中心周波数に対して周波数の高い側にＦ１／２シフトしている、
ことを特徴とする光受信装置。
【０１７５】
（付記６）  付記４または５において、
前記分波部は、前記第３〜第６ポートから出力される光信号を各波長の光信号に分波する分波器をさらに備えている、
ことを特徴とする光受信装置。
【０１７６】
（付記７）  付記２において、
前記波長分割多重信号は、透過帯域幅Ｆ１を有する第１光信号と透過帯域幅Ｆ２を有する第２光信号とが周波数間隔Ｆ（Ｆ≧（Ｆ１＋Ｆ２）／２）で交互に配置され、
前記分波部は、
前記波長分割多重信号が入力され、該波長分割多重信号を２つのポートから出力するカプラと、
前記カプラからの前記波長分割多重信号が入力され、前記第１光信号の信号帯域の中心周波数を中心とした帯域幅Ｆ１の透過帯域が周期４Ｆで繰り返す透過特性により前記波長分割多重信号をフィルタリングして出力する第１ポートと、該第１ポートの透過帯域から周波数２Ｆだけシフトした帯域幅Ｆ１の透過帯域が周期４Ｆで繰り返す透過特性により前記波長分割多重信号をフィルタリングして出力する第２ポートとを有する第１インタリーバと、
前記カプラからの前記波長分割多重信号が入力され、前記第２光信号の信号帯域の中心周波数を中心とした帯域幅Ｆ２の透過帯域が周期４Ｆで繰り返す透過特性により前記波長分割多重信号をフィルタリングして出力する第３ポートと、該第３ポートの透過帯域から周波数２Ｆだけシフトした帯域幅Ｆ２の透過帯域が周期４Ｆで繰り返す透過特性により前記波長分割多重信号をフィルタリングして出力する第４ポートとを有する第２インタリーバと、
を備えていることを特徴とする光受信装置。
【０１７７】
（付記８）  付記７において、
前記分波部は、前記第１〜第４ポートから出力される光信号を各波長の光信号に分波する分波器をさらに備えている、
ことを特徴とする光受信装置。
【０１７８】
（付記９）  付記２において、
前記波長分割多重信号は、透過帯域幅Ｆ１を有する第１光信号と透過帯域幅Ｆ２を有する第２光信号とが周波数間隔Ｆ（Ｆ≧（Ｆ１＋Ｆ２）／２）で交互に配置され、
前記分波部は、
前記波長分割多重信号が入力され、該波長分割多重信号を２つのポートから出力するカプラと、
前記カプラからの前記波長分割多重信号が入力され、帯域幅２Ｆの透過帯域および不透過帯域が交互に繰り返す透過特性により前記波長分割多重信号をフィルタリングして出力する第１ポートと、該第１ポートと逆の透過特性により前記波長分割多重信号をフィルタリングして出力する第２ポートとを有する第１インタリーバと、
前記カプラからの前記波長分割多重信号が入力され、帯域幅２Ｆの透過帯域および不透過帯域が交互に繰り返す透過特性により前記波長分割多重信号をフィルタリングして出力する第３ポートと、該第３ポートと逆の透過特性により前記波長分割多重信号をフィルタリングして出力する第４ポートとを有する第２インタリーバと、
前記第１〜第４ポートからの光信号がそれぞれ入力され、帯域幅２Ｆの透過帯域および不透過帯域が交互に繰り返す透過特性により前記第１〜第４ポートからの光信号をそれぞれフィルタリングして各波長の光信号に分波して出力する第１〜第４分波器と、
を備え、
前記第１ポートおよび前記第１分波器の透過帯域の重複部分ならびに前記第２ポートおよび前記第２分波器の透過帯域の重複部分が前記第１光信号の信号帯域を含み、前記第３ポートおよび前記第３分波器の透過帯域の重複部分ならびに前記第４ポートおよび前記第４分波器の透過特性の重複部分が前記第２光信号の信号帯域を含むように、前記第１および第２インタリーバならびに前記第１〜第４分波器の透過帯域の中心周波数が、前記第１および第２光信号の中心周波数からシフトしている、
ことを特徴とする光受信装置。
【０１７９】
（付記１０）  付記９において、
前記第１ポートの透過帯域の中心周波数は前記第１光信号の信号帯域の中心周波数に対して周波数の高い側に３×Ｆ１／２シフトし、
前記第１および第２分波器の透過帯域の中心周波数は前記第１光信号の信号帯域の中心周波数に対して周波数の低い側に３×Ｆ１／２シフトし、
前記第３ポートの透過帯域の中心周波数は前記第２光信号の信号帯域の中心周波数に対して周波数の低い側に周波数Ｆ１／２シフトし、
前記第３および第４分波器の透過帯域の中心周波数は前記第２光信号の信号帯域の中心周波数に対して周波数の高い側にＦ１／２シフトしている、
ことを特徴とする光受信装置。
【０１８０】
（付記１１）  付記２において、
前記波長分割多重信号は、透過帯域幅Ｆ１を有する第１光信号と透過帯域幅Ｆ２を有する第２光信号とが周波数間隔Ｆ（Ｆ≧（Ｆ１＋Ｆ２）／２）で交互に配置され、
前記分波部は、
前記波長分割多重信号が入力され、該波長分割多重信号を２つのポートから出力するカプラと、
前記カプラからの前記波長分割多重信号が入力され、前記第１光信号の信号帯域の中心周波数を中心とした帯域幅Ｆ１の透過帯域が周期２Ｆで繰り返す透過特性により前記波長分割多重信号をフィルタリングすると共に各波長の光信号に分波して出力する分波器と、
前記カプラからの前記波長分割多重信号が入力され、前記第２光信号の信号帯域の中心周波数を中心とした帯域幅Ｆ２の透過帯域が周期４Ｆで繰り返す透過特性により前記波長分割多重信号をフィルタリングして出力する第１ポートと、該第１ポートの透過帯域から周波数２Ｆだけシフトした帯域幅Ｆ２の透過帯域が周期４Ｆで繰り返す透過特性により前記波長分割多重信号をフィルタリングして出力する第２ポートとを有するインタリーバと、
を備えていることを特徴とする光受信装置。
【０１８１】
（付記１２）  付記１１において、
前記分波部は、前記インタリーバの前記第１および第２ポートからそれぞれ光信号を入力し、入力された光信号を各波長の光信号に分波して出力する第１および第２分波器をさらに備えている、
ことを特徴とする光受信装置。
【０１８２】
（付記１３）  付記２において、
前記波長分割多重信号は、透過帯域幅Ｆ１を有する第１光信号と透過帯域幅Ｆ２を有する第２光信号とが周波数間隔Ｆ（Ｆ≧（Ｆ１＋Ｆ２）／２）で交互に配置され、
前記分波部は、
前記波長分割多重信号が入力され、該波長分割多重信号を２つのポートから出力するカプラと、
前記カプラからの前記波長分割多重信号が入力され、前記第１光信号の信号帯域の中心周波数を中心とした帯域幅Ｆ１の透過帯域が周期２Ｆで繰り返す透過特性により前記波長分割多重信号をフィルタリングすると共に各波長の光信号に分波して出力する第１分波器と、
前記カプラからの前記波長分割多重信号が入力され、前記第２光信号の信号帯域の中心周波数を中心とした帯域幅Ｆ２の透過帯域が周期２Ｆで繰り返す透過特性により前記波長分割多重信号をフィルタリングすると共に各波長の光信号に分波して出力する第２分波器と、
を備えていることを特徴とする光受信装置。
【０１８３】
（付記１４）  付記２において、
前記波長分割多重信号は、周波数間隔Ｆ１で隣接して配置された透過帯域幅Ｆ１の３つの第１光信号からなる第１光信号群と、前記第１光信号群の中央に位置する第１光信号の中心周波数から周波数間隔Ｆ（Ｆ＝３×Ｆ１）の位置に配置された透過帯域幅Ｆ２（Ｆ２≦Ｆ）の１つの第２光信号とが交互に配置され、
前記分波部は、
前記波長分割多重信号が入力され、中心周波数が前記第１光信号群の中心に位置する第１光信号の中心周波数を中心とした帯域幅Ｆの透過帯域と帯域幅Ｆの不透過帯域とが交互に繰り返す透過特性により前記波長分割多重信号をフィルタリングして出力する第１ポートと、該第１ポートと逆の透過特性により前記波長分割多重信号をフィルタリングして出力する第２ポートとを有する第１インタリーバと、
前記第１ポートからの光信号が入力され、中心周波数が前記第１光信号群の端部に位置する第１光信号の中心周波数を中心とした帯域幅Ｆ１の透過帯域と帯域幅Ｆ１の不透過帯域とが交互に繰り返す透過特性により前記第１ポートからの光信号をフィルタリングして出力する第３ポートと、該第３ポートの逆の透過特性により前記第１ポートからの光信号をフィルタリングして出力する第４ポートとを有する第２インタリーバと、
を備えていることを特徴とする光受信装置。
【０１８４】
（付記１５）  付記１４において、
前記分波部は、前記第２、第３、および第４ポートから出力される光信号がそれぞれ入力され、入力された光信号を各波長の光信号に分波する第１、第２、および第３分波器をさらに備えている、
ことを特徴とする光受信装置。
【０１８５】
（付記１６）  付記２において、
前記波長分割多重信号は、周波数間隔Ｆ１で隣接して配置された透過帯域幅Ｆ１の３つの第１光信号からなる第１光信号群と、前記第１光信号群の中央に位置する第１光信号の中心周波数から周波数間隔Ｆ（Ｆ＝３×Ｆ１）の位置に配置された透過帯域幅Ｆ２（Ｆ２≦Ｆ）の１つの第２光信号とが交互に配置され、
前記分波部は、
前記波長分割多重信号が入力され、該波長分割多重信号を２つのポートから出力するカプラと、
前記カプラからの前記波長分割多重信号が入力され、中心周波数が前記第１光信号群の端部に位置する第１光信号の中心周波数を中心とした帯域幅Ｆ１の透過帯域と帯域幅Ｆ１の不透過帯域とが交互に繰り返す透過特性により前記波長分割多重信号をフィルタリングして出力する第１ポートと、該第１ポートの逆の透過特性により前記波長分割多重信号をフィルタリングして出力する第２ポートとを有する第１インタリーバと、
前記カプラからの前記波長分割多重信号が入力され、中心周波数が前記第２光信号の中心周波数を中心とした帯域幅Ｆの透過帯域と帯域幅Ｆの不透過帯域とが交互に繰り返す透過特性により前記波長分割多重信号をフィルタリングして出力する第３ポートを少なくとも有する第２インタリーバと、
を備えていることを特徴とする光受信装置。
【０１８６】
（付記１７）  付記１６において、
前記分波部は、前記第１、第２、および第３ポートから出力される光信号がそれぞれ入力され、入力された光信号を各波長の光信号に分波する第１、第２、および第３分波器をさらに備えている、
ことを特徴とする光受信装置。
【０１８７】
（付記１８）  異なる信号帯域幅を有する複数の光信号を波長分割多重して送信する光送信装置において、
前記複数の光信号を入力する複数の入力ポートを有し、該複数の入力ポートからそれぞれ入力された光信号を各ポートの透過特性によりフィルタリングして合波する合波部を備え、
前記合波部の各入力ポートは、該入力ポートに入力される光信号の信号帯域と略一致する透過帯域を有する、
ことを特徴する光送信装置。
【０１８８】
（付記１９）  付記１８において、
前記複数の光信号は、それぞれが透過帯域幅Ｆ１を有し、周波数間隔４Ｆで配置された複数の光信号からなる第１光信号群と、それぞれが透過帯域幅Ｆ２を有し、前記第１光信号群を構成する各光信号の中心周波数から周波数間隔Ｆ（Ｆ≧（Ｆ１＋Ｆ２）／２）の位置に配置された複数の光信号からなる第２光信号群と、それぞれが透過帯域幅Ｆ１を有し、前記第１光信号群を構成する各光信号の中心周波数から周波数間隔２Ｆの位置に配置された複数の光信号からなる第３光信号群と、それぞれが前記透過帯域幅Ｆ２を有し、前記第２光信号群を構成する各光信号の周波数から周波数間隔２Ｆの位置に配置された複数の光信号からなる第４光信号群とからなり、
前記合波部は、
前記第１光信号群が入力され、帯域幅Ｆの透過帯域および不透過帯域が交互に繰り返す透過特性を有する第１ポートと、前記第２光信号群が入力され、該第１ポートと逆の透過特性を有する第２ポートとを有し、該第１および第２ポートにそれぞれ入力された前記第１および第２光信号群を合波して出力する第１インタリーバと、
前記第３光信号群が入力され、帯域幅Ｆの透過帯域および不透過帯域が交互に繰り返す透過特性を有する第３ポートと、前記第４光信号群が入力され、該第３ポートと逆の透過特性を有する第４ポートとを有し、該第３および第４ポートにそれぞれ入力された前記第３および第４光信号群を合波して出力する第２インタリーバと、
前記第１インタリーバからの光信号が入力され、帯域幅Ｆの透過帯域および不透過帯域が交互に繰り返す透過特性を有する第５ポートと、前記第２インタリーバからの光信号が入力され、該第５ポートと逆の透過特性を有する第６ポートとを有し、前記第５および第６ポートに入力された光信号を合波して出力する第３インタリーバと、
を備え、
前記第１および第５ポートの透過帯域の重複部分が前記第１光信号群の各光信号の信号帯域を含み、前記第２および第５ポートの透過帯域の重複部分が前記第２光信号群の各光信号の信号帯域を含み、前記第３および第６ポートの透過帯域の重複部分が前記第３光信号群の各光信号の信号帯域を含み、前記第４および第６ポートの透過帯域の重複部分が前記第４光信号群の各光信号の信号帯域を含むように、前記第１、第２、および第３インタリーバの透過帯域の中心周波数が前記第１および第２光信号群の各光信号の中心周波数からシフトしている、
ことを特徴する光送信装置。
【０１８９】
（付記２０）  付記１９において、
前記第１および第４ポートの透過帯域の中心周波数は、前記第２光信号群の各光信号の中心周波数に対して周波数の高い側にＦ１／２シフトし、
前記第５ポートの透過帯域の中心周波数は、前記第２光信号群の各光信号の信号帯域の中心周波数に対して周波数の低い側にＦ１／２シフトしている、
ことを特徴とする光送信装置。
【０１９０】
（付記２１）  付記１９または２０において、
前記合波部は、
前記第１光信号群の各光信号を合波して該第１光信号群を生成し前記第１ポートに入力する第１合波器と、
前記第２光信号群の各光信号を合波して該第２光信号群を生成し前記第２ポートに入力する第２合波器と、
前記第３光信号群の各光信号を合波して該第３光信号群を生成し前記第３ポートに入力する第３合波器と、
前記第４光信号群の各光信号を合波して該第４光信号群を生成し前記第４ポートに入力する第４合波器と、
をさらに備えていることを特徴とする光送信装置。
【０１９１】
（付記２２）  付記１８において、
前記複数の光信号は、それぞれが透過帯域幅Ｆ１を有し、周波数間隔４Ｆで配置された複数の光信号からなる第１光信号群と、それぞれが透過帯域幅Ｆ１を有し、前記第１光信号群を構成する各光信号の中心周波数から周波数間隔２Ｆの位置に配置された複数の光信号からなる第２光信号群と、それぞれが透過帯域幅Ｆ２を有し、前記第１光信号群を構成する各光信号の中心周波数から周波数間隔Ｆ（Ｆ≧（Ｆ１＋Ｆ２）／２）の位置に配置された複数の光信号からなる第３光信号群と、それぞれが前記透過帯域幅Ｆ２を有し、前記第３光信号群を構成する各光信号の周波数から周波数間隔２Ｆの位置に配置された複数の光信号からなる第４光信号群とからなり、
前記第１光信号群が入力され、該第１光信号群の各光信号の信号帯域の中心周波数を中心とした帯域幅Ｆ１の透過帯域を有する透過特性により前記第１光信号群をフィルタリングして出力する第１ポートと、前記第２光信号群が入力され、前記第１ポートの透過帯域から周波数２Ｆだけシフトした帯域幅Ｆ１の透過帯域を有する透過特性により前記第３光信号群をフィルタリングして出力する第２ポートとを有し、前記フィルタリングされた第１および第２光信号群を合波して出力する第１インタリーバと、
前記第３光信号群が入力され、該第３光信号群の各光信号の信号帯域の中心周波数を中心とした帯域幅Ｆ２の透過帯域を有する透過特性により前記第３光信号群をフィルタリングして出力する第３ポートと、前記第４光信号群が入力され、前記第３ポートの透過帯域から周波数２Ｆだけシフトした帯域幅Ｆ２の透過帯域を有する透過特性により前記第４光信号群をフィルタリングして出力する第４ポートとを有し、前記フィルタリングされた第３および第４光信号群を合波して出力する第２インタリーバと、
前記第１および第２インタリーバからの信号群を合波して出力するカプラと、
を備えていることを特徴とする光送信装置。
【０１９２】
（付記２３）  付記２２において、
前記合波部は、
前記第１光信号群の各光信号を合波して該第１光信号群を生成し前記第１ポートに入力する第１合波器と、
前記第２光信号群の各光信号を合波して該第２光信号群を生成し前記第２ポートに入力する第２合波器と、
前記第３光信号群の各光信号を合波して該第３光信号群を生成し前記第３ポートに入力する第３合波器と、
前記第４光信号群の各光信号を合波して該第４光信号群を生成し前記第４ポートに入力する第４合波器と、
をさらに備えていることを特徴とする光送信装置。
【０１９３】
（付記２４）  付記１８において、
前記合波部は、
透過帯域幅Ｆ１を有し、周波数間隔４Ｆで配置された複数の光信号が入力され、帯域幅２Ｆの透過帯域および不透過帯域が交互に繰り返す透過特性により前記入力された複数の光信号をフィルタリングすると共に第１光信号群に合波して出力する第１合波器と、
透過帯域幅Ｆ１を有し、前記第１光信号群の各光信号の中心周波数から周波数間隔２Ｆの位置に配置された複数の光信号が入力され、帯域幅２Ｆの透過帯域および不透過帯域が交互に繰り返す透過特性により前記入力された複数の光信号をフィルタリングすると共に第２光信号群に合波して出力する第２合波器と、
透過帯域幅Ｆ２を有し、前記第１光信号群の各光信号の中心周波数から周波数間隔Ｆ（Ｆ≧（Ｆ１＋Ｆ２）／２）の位置に配置された複数の光信号が入力され、帯域幅２Ｆの透過帯域および不透過帯域が交互に繰り返す透過特性により前記入力された複数の光信号をフィルタリングすると共に第３光信号群に合波して出力する第３合波器と、
透過帯域幅Ｆ２を有し、前記第３光信号群の各光信号の中心周波数から周波数間隔２Ｆの位置に配置された複数の光信号が入力され、帯域幅２Ｆの透過帯域および不透過帯域が交互に繰り返す透過特性により前記入力された複数の光信号をフィルタリングすると共に第４光信号群に合波して出力する第４合波器と、
帯域幅２Ｆの透過帯域および不透過帯域が交互に繰り返す透過特性により、前記第１合波器からの前記第１光信号群をフィルタリングする第１ポートと、該第１ポートと逆の透過特性により前記第２合波器からの前記第２光信号群をフィルタリングする第２ポートとを有し、前記フィルタリングされた第１および第２光信号群を合波して出力する第１インタリーバと、
帯域幅２Ｆの透過帯域および不透過帯域が交互に繰り返す透過特性により、前記第３合波器からの前記第３光信号群をフィルタリングする第３ポートと、該第３ポートと逆の透過特性により前記第４合波器からの前記第４光信号群をフィルタリングする第４ポートとを有し、前記フィルタリングされた第２および第４光信号群を合波して出力する第２インタリーバと、
前記第１および第２インタリーバからの光信号群を合波して出力するカプラと、
を備え、
前記第１ポートおよび前記第１分波器の透過帯域の重複部分ならびに前記第２ポートおよび前記第２分波器の透過帯域の重複部分が前記第１光信号群の各光信号の信号帯域を含み、前記第３ポートおよび前記第３分波器の透過帯域の重複部分ならびに前記第４ポートおよび前記第４分波器の透過特性の重複部分が前記第２光信号の各光信号の信号帯域を含むように、前記第１および第２インタリーバならびに前記第１〜第４分波器の透過帯域の中心周波数が、前記第１および第２光信号群の中心周波数からシフトしている、
ことを特徴とする光送信装置。
【０１９４】
（付記２４）  付記２３において、
前記第１ポートの透過帯域の中心周波数は前記第１光信号群の各光信号の中心周波数に対して周波数の高い側に３×Ｆ１／２シフトし、
前記第１および第２合波器の透過帯域の中心周波数は前記第１光信号群の各光信号の中心周波数に対して周波数の低い側に３×Ｆ１／２シフトし、
前記第３ポートの透過帯域の中心周波数は前記第３光信号群の各光信号の中心周波数に対して周波数の低い側に周波数Ｆ１／２シフトし、
前記第３および第４合波器の透過帯域の中心周波数は前記第３光信号群の各光信号の中心周波数に対して周波数の高い側にＦ１／２シフトしている、
ことを特徴とする光送信装置。
【０１９５】
（付記２５）  付記１８において、
前記合波部は、
透過帯域幅Ｆ１を有する複数の第１光信号が周波数間隔２Ｆ（Ｆ＞Ｆ１）で入力され、該複数の第１光信号の各中心周波数を中心とした帯域幅Ｆ１の透過帯域を有する透過特性により前記複数の第１光信号をフィルタリングすると共に第１光信号群に合波して出力する合波器と、
透過帯域幅Ｆ２を有する複数の第２光信号が前記第１光信号群の１つおきの信号帯域の中心周波数から周波数間隔Ｆ（Ｆ≧（Ｆ１＋Ｆ２）／２）の位置に配置された第２光信号群が入力され、前記第２光信号群の各信号帯域の中心周波数を中心とした帯域幅Ｆ２の透過帯域を有する透過特性により前記第２光信号群をフィルタリングする第１ポートと、透過帯域幅Ｆ２を有する複数の第３光信号が前記第１光信号群の前記１つおきの信号帯域以外の１つおきの信号帯域の中心周波数から周波数間隔Ｆの位置に配置された第３光信号群が入力され、前記第３光信号群の各信号帯域の中心周波数を中心とした帯域幅Ｆ２の透過帯域を有する透過特性により前記第３光信号群をフィルタリングする第２ポートとを有し、前記フィルタリング後の第２および第３光信号群を合波して出力するインタリーバと、前記合波器および前記インタリーバからの光信号を合波して出力するカプラと、
を備えていることを特徴とする光送信装置。
【０１９６】
（付記２６）  付記２５において、
前記合波部は、
前記複数の第２光信号が前記第１光信号群の１つおきの信号帯域の中心周波数から周波数間隔Ｆの位置に周波数間隔４Ｆで入力され、該入力された複数の第２光信号を合波して前記第１ポートに出力する第１合波器と、
前記複数の第３光信号が前記第１光信号群の前記１つおきの信号帯域以外の１つおきの信号帯域の中心周波数から周波数間隔Ｆの位置に周波数間隔４Ｆで入力され、該入力された複数の第２光信号を合波して前記第２ポートに出力する第２合波器と、
をさらに備えていることを特徴とする光送信装置。
【０１９７】
（付記２７）  付記１８において、
前記合波部は、
透過帯域幅Ｆ１を有する複数の第１光信号が周波数間隔２Ｆ（Ｆ＞Ｆ１）で入力され、該複数の第１光信号の各中心周波数を中心とした帯域幅Ｆ１の透過帯域を有する透過特性により前記複数の第１光信号をフィルタリングすると共に第１光信号群に合波して出力する第１合波器と、
透過帯域幅Ｆ２（Ｆ≧（Ｆ１＋Ｆ２）／２）を有する複数の第２光信号が前記複数の第１光信号の各中心周波数から周波数Ｆシフトした周波数位置で入力され、該複数の第２光信号の各中心周波数を中心とした帯域幅Ｆ２の透過帯域を有する透過特性により前記複数の第２光信号をフィルタリングすると共に第２光信号群に合波して出力する第２合波器と、
前記第１および第２合波器からの光信号を合波して出力するカプラと、
を備えていることを特徴とする光送信装置。
【０１９８】
（付記２８）  付記１８において、
前記合波部は、
周波数間隔Ｆ１で隣接して配置された透過帯域幅Ｆ１の３つの第１光信号が周波数間隔６×Ｆ１で複数組配置された第１光信号群が入力され、該第１光信号群の各組の中央に位置する第１光信号の中心周波数を中心とした帯域幅３×Ｆ１の透過帯域を有する透過特性により前記第１光信号群をフィルタリングする第１ポートと、前記第１光信号群の各組の中央に位置する第１光信号の中心周波数から周波数３×Ｆ１シフトした周波数を中心とする透過帯域幅Ｆ２（Ｆ２≦３×Ｆ１）の複数の第２光信号からなる第２光信号群が入力され、前記第１ポートと逆の透過特性により前記第２光信号群をフィルタリングする第２ポートとを有し、前記フィルタリング後の第１および第２光信号群を合波して出力する第１インタリーバを備えている、
ことを特徴とする光送信装置。
【０１９９】
（付記２９）  付記２８において、
前記合波部は、
前記第１光信号群の各組の両端の第１光信号からなる第３光信号群が入力され、該両端の一方の第１光信号の中心周波数を中心とした帯域幅Ｆ１の透過帯域とこれに隣接する帯域幅Ｆ１の不透過帯域とが交互に繰り返す透過特性により該第３光信号群をフィルタリングする第３ポートと、前記第１光信号群の各組の中央の第１光信号からなる第４光信号群が入力され、前記第３ポートと逆の透過特性により該第４光信号群をフィルタリングする第４ポートとを有し、前記フィルタリング後の第３および第４光信号群を合波して出力する第２インタリーバをさらに備えている、
ことを特徴とする光送信装置。
【０２００】
（付記３０）  付記１８において、
前記合波部は、
周波数間隔Ｆ１で隣接して配置された透過帯域幅Ｆ１の３つの第１光信号が周波数間隔６×Ｆ１で複数組配置された第１光信号群のうち、各組の両端の第１光信号からなる第３光信号群が入力され、該両端の一方の第１光信号の中心周波数を中心とした帯域幅Ｆ１の透過帯域とこれに隣接する帯域幅Ｆ１の不透過帯域とが交互に繰り返す透過特性により該第３光信号群をフィルタリングする第１ポートと、前記第１光信号群の各組の中央の第１光信号からなる第４光信号群が入力され、前記第１ポートと逆の透過特性により該第４光信号群をフィルタリングする第２ポートとを有し、前記フィルタリング後の第３および第４光信号群を合波して出力する第１インタリーバと、
前記第１光信号群の各組の中央に位置する第１光信号の中心周波数から周波数３×Ｆ１シフトした周波数を中心とする透過帯域幅Ｆ２（Ｆ２≦３×Ｆ１）の複数の第２光信号からなる第２光信号群が入力され、各第２光信号の中心周波数を中心とした帯域幅Ｆ２の透過帯域とこれに隣接する帯域幅Ｆ２の不透過帯域とが交互に繰り返す透過特性により前記第２光信号群をフィルタリングして出力する第２インタリーバと、
前記第１および第２インタリーバからの光信号群を合波するカプラと、
を備えている光送信装置。
【０２０１】
【発明の効果】
本発明によると、伝送速度が異なり、または、変調方式が異なることにより、信号帯域幅が異なる光信号が波長分割多重された光信号を伝送品質の劣化の少ない状態で分波および合波して伝送できるＷＤＭ伝送システムならびに該システムを構成する光送信装置および光受信装置を提供することができる。また、本発明によると、周波数利用効率が高いＷＤＭ伝送システム、光送信装置、および光受信装置を提供することができる。さらに、ＩＴＵ−Ｔ等により規定された信号波長配置を用いることできるＷＤＭ伝送システム、光送信装置、および光受信装置を提供することができる。
【図面の簡単な説明】
【図１】（Ａ）は、本発明の第１の実施の形態によるＷＤＭ伝送システムの分波部の構成を示すブロック図であり、（Ｂ）は、該ＷＤＭ伝送システムの合波部の構成を示すブロック図である。
【図２】本発明の第１の実施の形態による分波部に入力される、あるいは、合波部により合波された光信号群を周波数軸上に配置したものを示す。
【図３】本発明の第１の実施の形態によるインタリーバの透過特性を示す。
【図４】本発明の第１の実施の形態によるインタリーバの透過特性およびＷＤＭ信号がインタリーバによりフィルタリングされる様子を示す。
【図５】（Ａ）は、４０Ｇｂｉｔ／ｓのＷＤＭ伝送システムにおいて、光信号間の周波数間隔を５０ＧＨｚ、７５ＧＨｚ、および１００ＧＨｚに変化させた場合のフィルタ帯域幅とＱ値との関係を示すグラフである。（Ｂ）は、ビットレートおよび波長間隔と周波数利用効率との関係を示す表である。
【図６】（Ａ）は、本発明の第２の実施の形態によるＷＤＭ伝送システムの分波部の構成を示すブロック図であり、（Ｂ）は、該ＷＤＭ伝送システムの合波部の構成を示すブロック図である。
【図７】本発明の第２の実施の形態によるインタリーバの透過特性およびＷＤＭ信号がインタリーバによりフィルタリングされる様子を示す。
【図８】（Ａ）は、本発明の第３の実施の形態によるＷＤＭ伝送システムの分波部の構成を示すブロック図であり、（Ｂ）は、該ＷＤＭ伝送システムの合波部の構成を示すブロック図である。
【図９】本発明の第３の実施の形態によるインタリーバおよび分波器の透過特性と、ＷＤＭ信号がインタリーバによりフィルタリングされる様子を示す。
【図１０】（Ａ）は、本発明の第４の実施の形態によるＷＤＭ伝送システムの分波部の構成を示すブロック図であり、（Ｂ）は、該ＷＤＭ伝送システムの合波部の構成を示すブロック図である。
【図１１】本発明の第４の実施の形態による狭帯域分波器および狭帯域インタリーバの透過特性と、ＷＤＭ信号が狭帯域分波器および狭帯域インタリーバによりフィルタリングされる様子を示す。
【図１２】（Ａ）は、本発明の第５の実施の形態によるＷＤＭ伝送システムの分波部の構成を示すブロック図であり（Ｂ）は、該ＷＤＭ伝送システムの合波部の構成を示すブロック図である。
【図１３】本発明の第５の実施の形態による狭帯域分波器および広帯域分波器の透過特性と、ＷＤＭ信号が狭帯域分波器および広帯域分波器によりフィルタリングされる様子を示している。
【図１４】（Ａ）は、本発明の第６の実施の形態によるＷＤＭ伝送システムの分波部の構成を示すブロック図であり、（Ｂ）は、該ＷＤＭ伝送システムの合波部の構成を示すブロック図である。
【図１５】本発明の第６の実施の形態によるインタリーバの透過特性と、ＷＤＭ信号がインタリーバによりフィルタリングされる様子を示す。
【図１６】（Ａ）は、本発明の第７の実施の形態によるＷＤＭ伝送システムの分波部の構成を示すブロック図であり、（Ｂ）は、該ＷＤＭ伝送システムの合波部の構成を示すブロック図である。
【図１７】本発明の第７の実施の形態による狭帯域分波器の透過特性と、ＷＤＭ信号が狭帯域分波器によりフィルタリングされる様子を示す。
【符号の説明】
インタリーバ  １，２，３，２２，２３，６１，６２
分波器  ４〜７，２４〜２７，６３〜６５
合波器  ４〜７，２４〜２７，６３〜６５
狭帯域インタリーバ  １２，１３
狭帯域分波器  ３１
狭帯域合波器  ３１
広帯域合波器  ５２
広帯域分波器  ５２
カプラ  １１
【図１】
2004297228.tif 000003
【図２】
2004297228.tif 000004
【図３】
2004297228.tif 000005
【図４】
2004297228.tif 000006
【図５】
2004297228.tif 000007
【図６】
2004297228.tif 000008
【図７】
2004297228.tif 000009
【図８】
2004297228.tif 000010
【図９】
2004297228.tif 000011
【図１０】
2004297228.tif 000012
【図１１】
2004297228.tif 000013
【図１２】
2004297228.tif 000014
【図１３】
2004297228.tif 000015
【図１４】
2004297228.tif 000016
【図１５】
2004297228.tif 000017
【図１６】
2004297228.tif 000018
【図１７】
2004297228.tif 000019